(57)【要約】【課題】多層の情報記録媒体に対して記録品質を保証することができる記録方法、情報記録装置、情報記録媒体、再生方法及び情報再生装置を提供する。【解決手段】情報記録再生装置１００は、２つ以上の記録層を有する情報記録媒体に情報を記録するための記録要求を受け付ける記録要求受付部１１と、記録対象である記録層の未記録の領域に光が到達するまでの間に光が通過する他の記録層の内で、情報が記録されている領域を有する記録層の数を所定値Ｎ（Ｎ≧０）以下に制限して、情報を記録する記録部１３とを備える。【選択図】図１
2010097685.tif 000002
【特許請求の範囲】
【請求項１】
２つ以上の記録層を有する情報記録媒体に情報を記録するための記録要求を受け付ける記録要求受付ステップと、
記録対象である記録層の未記録の領域に光が到達するまでの間に前記光が通過する他の記録層の内で、情報が記録されている領域を有する記録層の数を所定値Ｎ（Ｎ≧０）以下に制限して、前記情報を記録する記録ステップとを含むことを特徴とする記録方法。
【請求項２】
前記記録ステップは、
前記記録要求に基づいて特定される記録層上の記録要求領域が、未記録の領域を有する記録層の中で光入射面から最も奥の記録層と、前記未記録の領域を有する記録層の中で光入射面から最も奥の記録層から前記所定値Ｎだけ前記光入射面側にある記録層との間にあるか否かを判断する判断ステップと、
前記判断ステップにおいて、前記記録要求領域が、未記録の領域を有する記録層の中で光入射面から最も奥の記録層と、前記未記録の領域を有する記録層の中で光入射面から最も奥の記録層から前記所定値Ｎだけ前記光入射面側にある記録層との間にないと判断された場合、未記録の領域を有する記録層の中で光入射面から最も奥の記録層と、前記未記録の領域を有する記録層の中で光入射面から最も奥の記録層から前記所定値Ｎだけ前記光入射面側にある記録層との間に存在する未記録の領域を交替領域として決定し、前記記録要求領域に記録すべき情報を前記交替領域に記録する交替記録ステップとを含むことを特徴とする請求項１に記載の記録方法。
【請求項３】
前記記録ステップは、
未記録の領域を有する記録層の中で光入射面から最も奥の記録層から前記光入射面側にある各記録層のうち、記録要求された記録要求領域と同一半径位置にあり、かつ情報が記録されている領域を含む記録層の数を検出する検出ステップと、
前記検出ステップにおいて検出された記録層の数が前記所定値Ｎ以上であるか否かを判断する判断ステップと、
前記検出された記録層の数が前記所定値Ｎ以上であると判断された場合、未記録の領域を有する記録層の中で光入射面から最も奥の記録層と、前記未記録の領域を有する記録層の中で光入射面から最も奥の記録層から前記所定値Ｎだけ前記光入射面側にある記録層との間に存在する未記録の領域を交替領域として決定し、前記記録要求領域に記録すべき情報を前記交替領域に記録する交替記録ステップとを含むことを特徴とする請求項１に記載の記録方法。
【請求項４】
前記検出ステップは、未記録の領域を有する記録層の中で光入射面から最も奥の記録層から前記光入射面側にある各記録層のうち、前記記録要求領域と同一半径位置にあり、かつ記録層の張り合わせ誤差の範囲内にあり、かつ情報が記録されている領域を含む記録層の数を検出することを特徴とする請求項３記載の記録方法。
【請求項５】
前記検出ステップは、未記録の領域を有する記録層の中で光入射面から最も奥の記録層から前記光入射面側にある各記録層のうち、前記記録要求領域に集光する光が通過し、かつ情報が記録されている領域を含む記録層と、前記記録要求領域を通過した光が集光し、かつ情報が記録されている領域を含む記録層との数を検出することを特徴とする請求項３記載の記録方法。
【請求項６】
前記情報記録媒体の製造時に記録されるコントロールデータに基づいて前記所定値Ｎを決定する所定値決定ステップをさらに含むことを特徴とする請求項１〜５のいずれかに記載の記録方法。
【請求項７】
前記コントロールデータは、情報が記録されている領域を有する記録層の記録品質が保証される記録層の数を表す記録可能制限値を含み、
前記所定値決定ステップは、前記記録可能制限値に基づいて前記所定値Ｎを決定することを特徴とする請求項６に記載の記録方法。
【請求項８】
前記情報記録媒体が有する記録層の数に基づいて前記所定値Ｎを決定する所定値決定ステップをさらに含むことを特徴とする請求項１〜５のいずれかに記載の記録方法。
【請求項９】
前記情報記録媒体の種類を表すバージョン情報に基づいて前記所定値Ｎを決定する所定値決定ステップをさらに含むことを特徴とする請求項１〜５のいずれかに記載の記録方法。
【請求項１０】
前記交替領域は、未記録の領域を有する記録層の中で光入射面から最も奥の記録層にある未記録の領域であることを特徴とする請求項２〜９のいずれかに記載の記録方法。
【請求項１１】
前記交替領域は、前記記録要求領域と同一半径位置に最も近い未記録の領域であることを特徴とする請求項２〜１０のいずれかに記載の記録方法。
【請求項１２】
２つ以上の記録層を有する情報記録媒体に情報を記録するための記録要求を受け付ける記録要求受付部と、
記録対象である記録層の未記録の領域に光が到達するまでの間に前記光が通過する他の記録層の内で、情報が記録されている領域を有する記録層の数を所定値Ｎ（Ｎ≧０）以下に制限して、前記情報を記録する記録部とを備えることを特徴とする情報記録装置。
【請求項１３】
２つ以上の記録層を備え、
記録対象である記録層の未記録の領域に光が到達するまでの間に前記光が通過する他の記録層の内で、情報が記録されている領域を有する記録層の数が所定値Ｎ（Ｎ≧０）以下に制限されていることを特徴とする情報記録媒体。
【請求項１４】
前記記録層には、記録要求された記録要求領域を表す交替元情報と、前記記録要求領域の交替領域を表す交替先情報とを含む交替情報が記録されており、
前記交替元情報には、未記録の領域が登録されていることを特徴とする請求項１３に記載の情報記録媒体。
【請求項１５】
２つ以上の記録層を有する情報記録媒体から情報を再生する再生方法であって、
前記情報記録媒体は、記録対象である記録層の未記録の領域に光が到達するまでの間に前記光が通過する他の記録層の内で、情報が記録されている領域を有する記録層の数が所定値Ｎ（Ｎ≧０）以下に制限されており、
前記情報記録媒体から情報を再生するための再生要求を受け付ける再生要求受付ステップと、
前記情報記録媒体から、記録要求された記録要求領域を表す交替元情報と、前記記録要求領域の交替領域を表す交替先情報とを含む交替情報を取得する交替情報取得ステップと、
再生する領域が前記交替元情報に登録されているか否かを判定する交替登録判定ステップと、
前記交替登録判定ステップにおいて、再生する領域が前記交替元情報に登録されていると判定された場合、交替元の領域が未記録の領域であるか否かを判定する未記録判定ステップと、
前記未記録判定ステップにおいて、交替元の領域が未記録の領域であると判定された場合、前記交替先情報に登録されている前記交替領域を再生する再生ステップとを含むことを特徴とする再生方法。
【請求項１６】
２つ以上の記録層を有する情報記録媒体から情報を再生する情報再生装置であって、
前記情報記録媒体は、記録対象である記録層の未記録の領域に光が到達するまでの間に前記光が通過する他の記録層の内で、情報が記録されている領域を有する記録層の数が所定値Ｎ（Ｎ≧０）以下に制限されており、
前記情報記録媒体から情報を再生するための再生要求を受け付ける再生要求受付部と、
前記情報記録媒体から、記録要求された記録要求領域を表す交替元情報と、前記記録要求領域の交替領域を表す交替先情報とを含む交替情報を取得する交替情報取得部と、
再生する領域が前記交替元情報に登録されているか否かを判定する交替登録判定部と、
前記交替登録判定部によって、再生する領域が前記交替元情報に登録されていると判定された場合、交替元の領域が未記録の領域であるか否かを判定する未記録判定部と、
前記未記録判定部によって、交替元の領域が未記録の領域であると判定された場合、前記交替先情報に登録されている前記交替領域を再生する再生部とを備えることを特徴とする情報再生装置。
【発明の詳細な説明】
【技術分野】
【０００１】
本発明は、複数の記録層を有する情報記録媒体に情報を記録する記録方法及び情報記録装置、複数の記録層を有する情報記録媒体、複数の記録層を有する情報記録媒体から情報を再生する再生方法及び情報再生装置に関するものである。
【背景技術】
【０００２】
大容量の光ディスクとして、Ｂｌｕ−ｒａｙディスク（ＢＤ）が知られている。ＢＤは、単層で最大２５ＧＢの容量があり、２層にすることにより、最大５０ＧＢの容量を実現している。
【０００３】
ＢＤなどの光ディスクには、レーザ光を用いてデータが記録される。記録層にレーザ光を照射し、例えば、アモルファス状態から結晶状態に記録層を変化させることにより、データが記録される。このように記録層の状態が変化するため、光の透過率及び反射率（光学特性）が変化する。すなわち、記録済の領域と未記録の領域とでは、光学特性が異なる。
【０００４】
単層であれば、光学特性が異なることによる影響はない。しかしながら、記録対象である記録層と光ディスクの表面との間に他の記録層が存在する、記録層を２つ以上積層した光ディスクの場合、図２５に示すように、記録対象である記録層には他の記録層の領域を通過した光が入射する。そのため、記録対象である記録層に入射する光は、通過する他の記録層の領域の光学特性の影響を受ける。
【０００５】
データを記録する場合、記録する領域に対して最適なパワーになるように、レーザ光のパワーを制御する。レーザ光のパワーは、基準パワーに対して所定のマージン（パワーマージン）があり、パワーマージン内のパワーで記録した場合、記録品質が保証される。
【０００６】
奥の記録層に記録しようとした場合、手前の記録層の領域の光学特性が一定であれば、パワーの変化は小さく、パワーマージンは減少しない。しかしながら、レーザ光の光路上において、未記録の領域と記録済の領域とが混在した場合、未記録の領域と記録済の領域とでは光学特性が異なるため、パワーの変化が大きくなり、パワーマージンが減少する。パワーマージンは、フォーカスずれなど、他の要因によっても減少するため、できるだけ減少させないことが望ましい。すなわち、多層の光ディスクでは、光が通過する他の記録層の領域の光学特性を一定にすることが望ましい。
【０００７】
そこで、光が通過する他の記録層の領域の光学特性を一定にする方法として、光ディスクが初めて使用されるときに、光が通過する他の記録層の領域全部を記録済にする方法がある。
【０００８】
また、特許文献１には、奥の記録層にある領域を欠陥として欠陥リストに登録することにより、手前の記録層が記録済になるまで奥の記録層にある領域を記録禁止にする方法が開示されている。
【０００９】
これらの方法によると、奥の記録層に情報を記録するときに、光が通過してくる手前の記録層の領域が常に記録済であるため、光学特性を一定にすることができる。
【００１０】
上述したように、光が通過する他の記録層の領域の光学特性は一定であることが望ましいが、２層のＢＤでは、２層のどこでも記録することが可能である。これは、光が通過する他の記録層は１層しかなく、レーザ光が通過する光路上に未記録の領域と記録済の領域とが混在した場合でもパワーマージンが確保できる特性を有しているので、光学特性の違いによる影響を考慮しないでよいためである。
【先行技術文献】
【特許文献】
【００１１】
【特許文献１】特表２００５−５２９４４７号公報
【発明の概要】
【発明が解決しようとする課題】
【００１２】
しかしながら、さらに大容量化するために、３層、４層、５層・・・と記録層を増やした場合、光が通過する記録層の数も増加するため、光学特性の違いによる影響が大きくなる。
【００１３】
そこで、光が通過する他の記録層の領域の光学特性を一定にするために、光が通過する記録層の領域全部を記録済にしようとすると、非常に時間がかかり、この間ユーザが使用できなくなってしまうという課題がある。この課題は、記録層の数が多いとさらに大きな問題となる。
【００１４】
さらに、追記型の光ディスクでは、一度しか記録できないため、使用する前に記録済にすることはできないという課題がある。
【００１５】
また、記録済にすると透過率が低下するため、光ビームのパワーを大きくしなければならない。しかしながら、透過率の低下は、記録層の数が増える毎に乗数倍になるため、光ビームのパワーの上限を超えてしまい、記録できなくなる可能性があるという課題がある。
【００１６】
また、パワーを大きくできたとしても、記録層の数が増えると、未記録の領域と記録済の領域とが混在するパターンも増え、パワーマージン内に収まらず、記録品質が保証できない可能性があるという課題がある。
【００１７】
また、特許文献１で開示された方法では、奥の記録層を記録禁止にしているため、上位装置から奥の記録層に対する記録要求があった場合、記録することができないという課題がある。
【００１８】
さらに、欠陥リストから登録を解除したとき、上位装置に通知する空き領域が増加してしまい、上位装置の処理に影響を与えてしまうという課題がある。
【００１９】
本発明は、上記の問題を解決するためになされたもので、多層の情報記録媒体に対して記録品質を保証することができる記録方法、情報記録装置、情報記録媒体、再生方法及び情報再生装置を提供することを目的とするものである。
【課題を解決するための手段】
【００２０】
本発明の一局面に係る記録方法は、２つ以上の記録層を有する情報記録媒体に情報を記録するための記録要求を受け付ける記録要求受付ステップと、記録対象である記録層の未記録の領域に光が到達するまでの間に前記光が通過する他の記録層の内で、情報が記録されている領域を有する記録層の数を所定値Ｎ（Ｎ≧０）以下に制限して、前記情報を記録する記録ステップとを含む。
【００２１】
この構成によれば、２つ以上の記録層を有する情報記録媒体に情報を記録するための記録要求が受け付けられる。そして、記録対象である記録層の未記録の領域に光が到達するまでの間に光が通過する他の記録層の内で、情報が記録されている領域を有する記録層の数を所定値Ｎ（Ｎ≧０）以下に制限して、情報が記録される。
【００２２】
したがって、記録対象である記録層の未記録の領域に光が到達するまでの間に光が通過する他の記録層の内で、情報が記録されている領域を有する記録層の数が所定値Ｎ（Ｎ≧０）以下に制限されるので、記録対象である記録層の未記録の領域に到達する光が他の記録層の光学特性から受ける影響を低減し、多層の情報記録媒体に対して記録品質を保証することができる。
【００２３】
また、上記の記録方法において、前記記録ステップは、記録要求に基づいて特定される記録層上の記録要求領域が、未記録の領域を有する記録層の中で光入射面から最も奥の記録層と、前記未記録の領域を有する記録層の中で光入射面から最も奥の記録層から前記所定値Ｎだけ前記光入射面側にある記録層との間にあるか否かを判断する判断ステップと、前記判断ステップにおいて、前記記録要求領域が、未記録の領域を有する記録層の中で光入射面から最も奥の記録層と、前記未記録の領域を有する記録層の中で光入射面から最も奥の記録層から前記所定値Ｎだけ光入射面側にある記録層との間にないと判断された場合、未記録の領域を有する記録層の中で光入射面から最も奥の記録層と、前記未記録の領域を有する記録層の中で光入射面から最も奥の記録層から前記所定値Ｎだけ光入射面側にある記録層との間に存在する未記録の領域を交替領域として決定し、前記記録要求領域に記録すべき情報を前記交替領域に記録する交替記録ステップとを含むことが好ましい。
【００２４】
この構成によれば、記録要求に基づいて特定される記録層上の記録要求領域が、未記録の領域を有する記録層の中で光入射面から最も奥の記録層と、未記録の領域を有する記録層の中で光入射面から最も奥の記録層から所定値Ｎだけ光入射面側にある記録層との間にあるか否かが判断される。そして、記録要求領域が、未記録の領域を有する記録層の中で光入射面から最も奥の記録層と、未記録の領域を有する記録層の中で光入射面から最も奥の記録層から所定値Ｎだけ光入射面側にある記録層との間にないと判断された場合、未記録の領域を有する記録層の中で光入射面から最も奥の記録層と、未記録の領域を有する記録層の中で光入射面から最も奥の記録層から所定値Ｎだけ光入射面側にある記録層との間に存在する未記録の領域が交替領域として決定され、記録要求領域に記録すべき情報が交替領域に記録される。
【００２５】
したがって、記録要求領域が、未記録の領域を有する記録層の中で光入射面から最も奥の記録層と、未記録の領域を有する記録層の中で光入射面から最も奥の記録層から所定値Ｎだけ光入射面側にある記録層との間にないと判断された場合、記録要求領域に記録すべき情報が、未記録の領域を有する記録層の中で光入射面から最も奥の記録層と、未記録の領域を有する記録層の中で光入射面から最も奥の記録層から所定値Ｎだけ光入射面側にある記録層との間に存在する未記録の領域に記録されるので、多層の情報記録媒体に対して記録品質を保証することができる。
【００２６】
また、上記の記録方法において、前記記録ステップは、未記録の領域を有する記録層の中で光入射面から最も奥の記録層から前記光入射面側にある各記録層のうち、記録要求された記録要求領域と同一半径位置にあり、かつ情報が記録されている領域を含む記録層の数を検出する検出ステップと、前記検出ステップにおいて検出された記録層の数が前記所定値Ｎ以上であるか否かを判断する判断ステップと、前記検出された記録層の数が前記所定値Ｎ以上であると判断された場合、未記録の領域を有する記録層の中で光入射面から最も奥の記録層と、前記未記録の領域を有する記録層の中で光入射面から最も奥の記録層から前記所定値Ｎだけ前記光入射面側にある記録層との間に存在する未記録の領域を交替領域として決定し、前記記録要求領域に記録すべき情報を前記交替領域に記録する交替記録ステップとを含むことが好ましい。
【００２７】
この構成によれば、未記録の領域を有する記録層の中で光入射面から最も奥の記録層から光入射面側にある各記録層のうち、記録要求された記録要求領域と同一半径位置にあり、かつ情報が記録されている領域を含む記録層の数が検出される。そして、検出された記録層の数が所定値Ｎ以上であるか否かが判断される。検出された記録層の数が所定値Ｎ以上であると判断された場合、未記録の領域を有する記録層の中で光入射面から最も奥の記録層と、未記録の領域を有する記録層の中で光入射面から最も奥の記録層から所定値Ｎだけ光入射面側にある記録層との間に存在する未記録の領域が交替領域として決定され、記録要求領域に記録すべき情報が交替領域に記録される。
【００２８】
したがって、情報が記録されている領域を含む記録層の数が所定値Ｎ以上であると判断された場合、記録要求領域に記録すべき情報が、未記録の領域を有する記録層の中で光入射面から最も奥の記録層と、未記録の領域を有する記録層の中で光入射面から最も奥の記録層から所定値Ｎだけ光入射面側にある記録層との間に存在する未記録の領域に記録されるので、多層の情報記録媒体に対して記録品質を保証することができる。
【００２９】
また、上記の記録方法において、前記検出ステップは、未記録の領域を有する記録層の中で光入射面から最も奥の記録層から前記光入射面側にある各記録層のうち、前記記録要求領域と同一半径位置にあり、かつ記録層の張り合わせ誤差の範囲内にあり、かつ情報が記録されている領域を含む記録層の数を検出することが好ましい。
【００３０】
この構成によれば、未記録の領域を有する記録層の中で光入射面から最も奥の記録層から光入射面側にある各記録層のうち、記録要求領域と同一半径位置にあり、かつ記録層の張り合わせ誤差の範囲内にあり、かつ情報が記録されている領域を含む記録層の数が検出される。
【００３１】
したがって、記録層の張り合わせ誤差が考慮されるので、記録要求領域と同一半径位置にあり、かつ情報が記録されている領域を含む記録層の数をより正確に検出することができる。
【００３２】
また、上記の記録方法において、前記検出ステップは、未記録の領域を有する記録層の中で光入射面から最も奥の記録層から前記光入射面側にある各記録層のうち、前記記録要求領域に集光する光が通過し、かつ情報が記録されている領域を含む記録層と、前記記録要求領域を通過した光が集光し、かつ情報が記録されている領域を含む記録層との数を検出することが好ましい。
【００３３】
この構成によれば、未記録の領域を有する記録層の中で光入射面から最も奥の記録層から光入射面側にある各記録層のうち、記録要求領域に集光する光が通過し、かつ情報が記録されている領域を含む記録層と、記録要求領域を通過した光が集光し、かつ情報が記録されている領域を含む記録層との数が検出される。
【００３４】
したがって、記録要求領域に集光する光が通過する領域、及び記録要求領域を通過した光が集光する領域における光学特性が考慮されるので、記録要求領域と同一半径位置にあり、かつ情報が記録されている領域を含む記録層の数をより正確に検出することができる。
【００３５】
また、上記の記録方法において、前記情報記録媒体の製造時に記録されるコントロールデータに基づいて前記所定値Ｎを決定する所定値決定ステップをさらに含むことが好ましい。この構成によれば、情報記録媒体の製造時に記録されるコントロールデータに基づいて所定値Ｎを決定することができる。
【００３６】
また、上記の記録方法において、前記コントロールデータは、情報が記録されている領域を有する記録層の記録品質が保証される記録層の数を表す記録可能制限値を含み、前記所定値決定ステップは、前記記録可能制限値に基づいて前記所定値Ｎを決定することが好ましい。この構成によれば、情報が記録されている領域を有する記録層の記録品質が保証される記録層の数を表す記録可能制限値に基づいて所定値Ｎを決定することができる。
【００３７】
また、上記の記録方法において、前記情報記録媒体が有する記録層の数に基づいて前記所定値Ｎを決定する所定値決定ステップをさらに含むことが好ましい。この構成によれば、情報記録媒体が有する記録層の数に基づいて所定値Ｎを決定することができる。
【００３８】
また、上記の記録方法において、前記情報記録媒体の種類を表すバージョン情報に基づいて前記所定値Ｎを決定する所定値決定ステップをさらに含むことが好ましい。この構成によれば、情報記録媒体の種類を表すバージョン情報に基づいて所定値Ｎを決定することができる。
【００３９】
また、上記の記録方法において、前記交替領域は、未記録の領域を有する記録層の中で光入射面から最も奥の記録層にある未記録の領域であることが好ましい。
【００４０】
この構成によれば、記録要求された記録要求領域が、未記録の領域を有する記録層の中で光入射面から最も奥の記録層と、未記録の領域を有する記録層の中で光入射面から最も奥の記録層から所定値Ｎだけ光入射面側にある記録層との間にないと判断された場合、記録要求領域に記録すべき情報が、未記録の領域を有する記録層の中で光入射面から最も奥の記録層から順番に記録されるので、効率的に情報を記録することができる。
【００４１】
また、上記の記録方法において、前記交替領域は、前記記録要求領域と同一半径位置に最も近い未記録の領域であることが好ましい。
【００４２】
この構成によれば、記録要求された記録要求領域が、未記録の領域を有する記録層の中で光入射面から最も奥の記録層と、未記録の領域を有する記録層の中で光入射面から最も奥の記録層から所定値Ｎだけ光入射面側にある記録層との間にないと判断された場合、記録要求領域に記録すべき情報が、記録要求領域と同一半径位置に最も近い未記録の領域に記録されるので、ピックアップを記録要求領域から交替領域へ移動させるために必要な時間を削減することができる。
【００４３】
本発明の他の局面に係る情報記録装置は、２つ以上の記録層を有する情報記録媒体に情報を記録するための記録要求を受け付ける記録要求受付部と、記録対象である記録層の未記録の領域に光が到達するまでの間に前記光が通過する他の記録層の内で、情報が記録されている領域を有する記録層の数を所定値Ｎ（Ｎ≧０）以下に制限して、前記情報を記録する記録部とを備える。
【００４４】
この構成によれば、２つ以上の記録層を有する情報記録媒体に情報を記録するための記録要求が受け付けられる。そして、記録対象である記録層の未記録の領域に光が到達するまでの間に光が通過する他の記録層の内で、情報が記録されている領域を有する記録層の数を所定値Ｎ（Ｎ≧０）以下に制限して、情報が記録される。
【００４５】
したがって、記録対象である記録層の未記録の領域に光が到達するまでの間に光が通過する他の記録層の内で、情報が記録されている領域を有する記録層の数が所定値Ｎ（Ｎ≧０）以下に制限されるので、記録対象である記録層の未記録の領域に到達する光が他の記録層の光学特性から受ける影響を低減し、多層の情報記録媒体に対して記録品質を保証することができる。
【００４６】
本発明の他の局面に係る情報記録媒体は、２つ以上の記録層を備え、記録対象である記録層の未記録の領域に光が到達するまでの間に前記光が通過する他の記録層の内で、情報が記録されている領域を有する記録層の数が所定値Ｎ（Ｎ≧０）以下に制限されている。
【００４７】
この構成によれば、記録対象である記録層の未記録の領域に光が到達するまでの間に光が通過する他の記録層の内で、情報が記録されている領域を有する記録層の数が所定値Ｎ（Ｎ≧０）以下に制限されている。
【００４８】
したがって、記録対象である記録層の未記録の領域に光が到達するまでの間に光が通過する他の記録層の内で、情報が記録されている領域を有する記録層の数が所定値Ｎ（Ｎ≧０）以下に制限されるので、記録対象である記録層の未記録の領域に到達する光が他の記録層の光学特性から受ける影響を低減し、多層の情報記録媒体に対して記録品質を保証することができる。
【００４９】
また、上記の情報記録媒体において、前記記録層には、記録要求された記録要求領域を表す交替元情報と、前記記録要求領域の交替領域を表す交替先情報とを含む交替情報が記録されており、前記交替元情報には、未記録の領域が登録されていることが好ましい。
【００５０】
この構成によれば、記録層には、記録要求された記録要求領域を表す交替元情報と、記録要求領域の交替領域を表す交替先情報とを含む交替情報が記録されており、交替元情報には、未記録の領域が登録されている。したがって、欠陥領域ではなく、未記録の領域が交替元の領域として記録されているので、当該未記録の領域にさらに情報を記録することができる。
【００５１】
本発明の他の局面に係る再生方法は、２つ以上の記録層を有する情報記録媒体から情報を再生する再生方法であって、前記情報記録媒体は、記録対象である記録層の未記録の領域に光が到達するまでの間に前記光が通過する他の記録層の内で、情報が記録されている領域を有する記録層の数が所定値Ｎ（Ｎ≧０）以下に制限されており、前記情報記録媒体から情報を再生するための再生要求を受け付ける再生要求受付ステップと、前記情報記録媒体から、記録要求された記録要求領域を表す交替元情報と、前記記録要求領域の交替領域を表す交替先情報とを含む交替情報を取得する交替情報取得ステップと、再生する領域が前記交替元情報に登録されているか否かを判定する交替登録判定ステップと、前記交替登録判定ステップにおいて、再生する領域が前記交替元情報に登録されていると判定された場合、交替元の領域が未記録の領域であるか否かを判定する未記録判定ステップと、前記未記録判定ステップにおいて、交替元の領域が未記録の領域であると判定された場合、前記交替先情報に登録されている前記交替領域を再生する再生ステップとを含む。
【００５２】
この構成によれば、情報記録媒体は、記録対象である記録層の未記録の領域に光が到達するまでの間に光が通過する他の記録層の内で、情報が記録されている領域を有する記録層の数が所定値Ｎ（Ｎ≧０）以下に制限されている。そして、情報記録媒体から情報を再生するための再生要求が受け付けられる。続いて、情報記録媒体から、記録要求された記録要求領域を表す交替元情報と、記録要求領域の交替領域を表す交替先情報とを含む交替情報が取得され、再生する領域が交替元情報に登録されているか否かが判定される。再生する領域が交替元情報に登録されていると判定された場合、交替元の領域が未記録の領域であるか否かが判定される。交替元の領域が未記録の領域であると判定された場合、交替先情報に登録されている交替領域が再生される。
【００５３】
したがって、記録要求領域から交替領域に交替記録された場合であっても、正確に情報を再生することができる。
【００５４】
本発明の他の局面に係る情報再生装置は、２つ以上の記録層を有する情報記録媒体から情報を再生する情報再生装置であって、前記情報記録媒体は、記録対象である記録層の未記録の領域に光が到達するまでの間に前記光が通過する他の記録層の内で、情報が記録されている領域を有する記録層の数が所定値Ｎ（Ｎ≧０）以下に制限されており、前記情報記録媒体から情報を再生するための再生要求を受け付ける再生要求受付部と、前記情報記録媒体から、記録要求された記録要求領域を表す交替元情報と、前記記録要求領域の交替領域を表す交替先情報とを含む交替情報を取得する交替情報取得部と、再生する領域が前記交替元情報に登録されているか否かを判定する交替登録判定部と、前記交替登録判定部によって、再生する領域が前記交替元情報に登録されていると判定された場合、交替元の領域が未記録の領域であるか否かを判定する未記録判定部と、前記未記録判定部によって、交替元の領域が未記録の領域であると判定された場合、前記交替先情報に登録されている前記交替領域を再生する再生部とを備える。
【００５５】
この構成によれば、情報記録媒体は、記録対象である記録層の未記録の領域に光が到達するまでの間に光が通過する他の記録層の内で、情報が記録されている領域を有する記録層の数が所定値Ｎ（Ｎ≧０）以下に制限されている。そして、情報記録媒体から情報を再生するための再生要求が受け付けられる。続いて、情報記録媒体から、記録要求された記録要求領域を表す交替元情報と、記録要求領域の交替領域を表す交替先情報とを含む交替情報が取得され、再生する領域が交替元情報に登録されているか否かが判定される。再生する領域が交替元情報に登録されていると判定された場合、交替元の領域が未記録の領域であるか否かが判定される。交替元の領域が未記録の領域であると判定された場合、交替先情報に登録されている交替領域が再生される。
【００５６】
したがって、記録要求領域から交替領域に交替記録された場合であっても、正確に情報を再生することができる。
【発明の効果】
【００５７】
本発明によれば、記録対象である記録層の未記録の領域に光が到達するまでの間に光が通過する他の記録層の内で、情報が記録されている領域を有する記録層の数が所定値Ｎ（Ｎ≧０）以下に制限されるので、記録対象である記録層の未記録の領域に到達する光が他の記録層の光学特性から受ける影響を低減し、多層の情報記録媒体に対して記録品質を保証することができる。
【図面の簡単な説明】
【００５８】
【図１】本発明の実施の形態１における情報記録再生装置の構成図である。
【図２】本発明の実施の形態１における情報記録再生装置の機能構成を示すブロック図である。
【図３】本発明の実施の形態１における４層のＢＤ−Ｒの構成を示す図である。
【図４】本発明の実施の形態１におけるインナーゾーン及びアウターゾーンの構成を示す図である。
【図５】本発明の実施の形態１におけるＴＤＭＡのデータ構造を示す図である。
【図６】本発明の実施の形態１におけるＴＤＦＬのデータ構造を示す図である。
【図７】本発明の実施の形態１におけるＳＲＲＩのデータ構造を示す図である。
【図８】本発明の実施の形態１における制限値Ｎの決定方法を示すフローチャートである。
【図９】本発明の実施の形態１における記録方法を示す第１のフローチャートである。
【図１０】本発明の実施の形態１における記録方法を示す第２のフローチャートである。
【図１１】本発明の実施の形態１における、未記録の領域を有する記録層の中で光ディスクの光入射面から最も奥の記録層を求める処理を示すフローチャートである。
【図１２】本発明の実施の形態１における記録方法で記録したときの４層のＢＤ−Ｒの記録状態の一例を示す図である。
【図１３】本発明の実施の形態１における記録方法で記録したときの４層のＢＤ−Ｒの記録状態の一例を示す図である。
【図１４】本発明の実施の形態１における記録方法で記録したときの４層のＢＤ−Ｒの記録状態の一例を示す図である。
【図１５】本発明の実施の形態２における情報記録再生装置の機能構成を示すブロック図である。
【図１６】本発明の実施の形態２における記録方法を示す第１のフローチャートである。
【図１７】本発明の実施の形態２における記録方法を示す第２のフローチャートである。
【図１８】本発明の実施の形態２において、同一半径位置の領域へのデータの記録を説明するための図である。
【図１９】本発明の実施の形態２において、記録要求領域と同一半径位置に記録済の領域があるか否かを判定する方法を示す第１のフローチャートである。
【図２０】本発明の実施の形態２において、記録要求領域と同一半径位置に記録済の領域があるか否かを判定する方法を示す第２のフローチャートである。
【図２１】本発明の実施の形態２における記録層の張り合わせ誤差を説明するための図である。
【図２２】本発明の実施の形態２おいて、記録要求領域と同一半径位置に記録済の領域があるか否かを判定する別の判定方法について説明するための図である。
【図２３】本発明の実施の形態３における情報記録再生装置の機能構成を示すブロック図である。
【図２４】本発明の実施の形態３における再生方法を示すフローチャートである。
【図２５】光が通過する他の記録層の領域の光学特性の影響を受けることを示す図である。
【発明を実施するための形態】
【００５９】
以下、図面を参照して本発明の実施の形態を詳細に説明する。尚、以下の実施の形態は、本発明を具体化した一例であって、本発明の技術的範囲を限定する性格のものではない。
【００６０】
（実施の形態１）
図１は、本発明の実施の形態１における情報記録再生装置１００の全体構成を示す図である。図１に示す情報記録再生装置１００は、スピンドルモータ１０２、ピックアップ１０３、サーボ回路１０４、記録再生回路１０５、ＣＰＵ１０６、バッファメモリ１０７及びインターフェース制御回路１０８を備える。
【００６１】
図１において、情報記録媒体である光ディスク１０１は、スピンドルモータ１０２により所定の回転速度で回転する。ピックアップ１０３は、レーザ光源、フォトディテクタ、及び光学レンズ系を含み、光ディスク１０１にレーザ光を照射し、情報の記録及び再生を行う。サーボ回路１０４は、スピンドルモータ１０２の回転と、ピックアップ１０３の位置とを制御し、ピックアップ１０３をトラッキング方向及びフォーカス方向に制御する。
【００６２】
記録再生回路１０５は、ピックアップ１０３の読み出した信号に対して２値化処理、復調処理、デコード処理及び誤り訂正処理等の再生処理を行うとともに、ピックアップ１０３に供給する記録信号に対して符号化処理及び変調処理等の記録処理を行う。記録再生用のデータは、バッファメモリ１０７に格納され、インターフェース制御回路１０８を介して、外部に接続された上位装置１０９（例えばホストコンピュータ）との間で送受信される。ＣＰＵ（中央演算処理装置）１０６は、インターフェース制御回路１０８を介して上位装置１０９からのコマンドを受け、内蔵された制御プログラムに従って、情報記録再生装置１００の全体動作を制御し、記録処理及び再生処理などの各種処理を実行する。
【００６３】
図２は、本発明の実施の形態１における情報記録再生装置１００の機能構成を示すブロック図である。情報記録再生装置１００は、記録要求受付部１１、制限値決定部１２及び記録部１３を備える。なお、実施の形態１において、情報記録再生装置１００が情報記録装置の一例に相当する。
【００６４】
光ディスク１０１は、２つ以上の記録層を備え、記録対象である記録層の未記録の領域に光が到達するまでの間に光が通過する他の記録層の内で、情報が記録されている領域を有する記録層の数が制限値Ｎ（Ｎ≧０）以下に制限されている。
【００６５】
記録要求受付部１１は、２つ以上の記録層を有する光ディスク１０１に情報を記録するための記録要求を受け付ける。なお、図１のＣＰＵ１０６及びインターフェース制御回路１０８が記録要求受付部１１として機能する。
【００６６】
制限値決定部１２は、光ディスク１０１の製造時に記録されるコントロールデータに基づいて制限値（所定値）Ｎを決定する。なお、図１のＣＰＵ１０６が制限値決定部１２として機能する。
【００６７】
記録部１３は、記録対象である記録層の未記録の領域に光が到達するまでの間に光が通過する他の記録層の内で、情報が記録されている領域を有する記録層の数を所定値Ｎ（Ｎ≧０）以下に制限して、情報を記録する。なお、図１のスピンドルモータ１０２、ピックアップ１０３、サーボ回路１０４、記録再生回路１０５、ＣＰＵ１０６、バッファメモリ１０７及びインターフェース制御回路１０８が記録部１３として機能する。
【００６８】
記録部１３は、管理情報取得部１３１、アドレス変換部１３２、記録層判断部１３３及び交替記録部１３４を備える。管理情報取得部１３１は、最新の欠陥管理情報と記録管理情報とを光ディスク１０１から取得する。アドレス変換部１３２は、上位装置１０９から指定された、データを記録する領域の論理アドレスを物理アドレスへ変換する。
【００６９】
記録層判断部１３３は、記録要求に基づいて特定される記録層上の記録要求領域が、未記録の領域を有する記録層の中で光ディスク１０１の光入射面から最も奥の記録層と、未記録の領域を有する記録層の中で光入射面から最も奥の記録層から制限値Ｎだけ光入射面側にある記録層との間にあるか否かを判断する。
【００７０】
交替記録部１３４は、記録層判断部１３３によって、記録要求領域が、未記録の領域を有する記録層の中で光ディスク１０１の光入射面から最も奥の記録層と、未記録の領域を有する記録層の中で光入射面から最も奥の記録層から制限値Ｎだけ光入射面側にある記録層との間にないと判断された場合、未記録の領域を有する記録層の中で光ディスク１０１の光入射面から最も奥の記録層と、未記録の領域を有する記録層の中で光入射面から最も奥の記録層から制限値Ｎだけ光入射面側にある記録層との間に存在する未記録の領域を交替領域として決定し、記録要求領域に記録すべき情報を交替領域に記録する。
【００７１】
図３は、本発明の実施の形態１における４層のＢＤ−Ｒ２００の構成を示す図である。ＢＤ−Ｒ２００は、表面（光入射面）から最も奥に位置する記録層から順に、第１の記録層Ｌ０、第２の記録層Ｌ１、第３の記録層Ｌ２及び第４の記録層Ｌ３を含む。第１の記録層Ｌ０及び第３の記録層Ｌ２の物理アドレスは、内周側から昇順に割り当てられている。第２の記録層Ｌ１及び第４の記録層Ｌ３の物理アドレスは、外周側から昇順に割り当てられている。なお、各記録層の物理アドレスには、各記録層の層番号が設定されている。
【００７２】
各記録層には、内周側からインナーゾーン（Ｉｎｎｅｒ  Ｚｏｎｅ）２０１〜２０４、データ領域（Ｄａｔａ  Ａｒｅａ）２１１〜２１４及びアウターゾーン（Ｏｕｔｅｒ  Ｚｏｎｅ）２２１〜２２４が割り当てられる。データ領域２１１〜２１４には、ユーザデータが記録される。インナーゾーン２０１〜２０４及びアウターゾーン２２１〜２２４には、欠陥管理情報及び記録管理情報などが格納される。
【００７３】
なお、第１の記録層Ｌ０のインナーゾーン２０１には、各記録層の終端物理アドレスが格納されている。また、第１の記録層Ｌ０のインナーゾーン２０１には、コントロールデータが格納されている。コントロールデータは、ディスク製造時に記録され、記録層の数を表す情報及び光ディスクのバージョン（種類）を表すバージョン情報などのディスク情報を含む。
【００７４】
図４は、本発明の実施の形態１におけるインナーゾーン及びアウターゾーンの構成を示す図である。各記録層のインナーゾーン２０１〜２０４は、欠陥管理情報と記録管理情報とが格納されるＤＭＡ（Ｄｉｓｃ  Ｍａｎａｇｅｍｅｎｔ  Ａｒｅａ：ディスク管理領域）３０１と、一時的に欠陥管理情報と記録管理情報とが格納されるＴＤＭＡ（Ｔｅｍｐｏｒａｒｙ  Ｄｉｓｃ  Ｍａｎａｇｅｍｅｎｔ  Ａｒｅａ：一時ディスク管理情報領域）３０３とを含む。また、各記録層のアウターゾーン２２１〜２２４は、欠陥管理情報と記録管理情報とが格納されるＤＭＡ３０２を含む。
【００７５】
ＴＤＭＡ３０３は、ディスクをクローズするまでの間、欠陥管理情報と記録管理情報とが一時的に格納される領域であり、ＤＭＡ３０１，３０２は、ディスクをクローズするときに、ＴＤＭＡ３０３内の最終の管理情報を格納する領域である。
【００７６】
ＴＤＭＡ３０３には、欠陥管理情報及び記録管理情報がＴＤＭＳ  Ｕｐｄａｔｅ  Ｕｎｉｔ単位で記録され、欠陥管理情報及び記録管理情報を更新するときに、物理的に連続して記録される。
【００７７】
ここで、本実施の形態では、インナーゾーンとアウターゾーンとで各々ＤＭＡは１つ、またＴＤＭＡもインナーゾーンに１つとしているが、これに限るものではない。例えば、ＤＭＡ及びＴＤＭＡは、各ゾーンや各記録層に複数個あってもよい。また、ＤＭＡ及びＴＤＭＡは、いずれか一方のみ存在していてもよい。また、ＤＭＡ及びＴＤＭＡは、いずれかの記録層に少なくとも１つあればよい。
【００７８】
図５は、本発明の実施の形態１における連続記録モード時のＴＤＭＡ３０３のデータ構造を示す図である。連続記録モードについては、ＢＤ−Ｒの規格書に明記されており、既知であるため、ここでの説明は省略する。ＴＤＭＡ３０３の不要な浪費を防ぐために、更新に必要な要素だけをＴＤＭＳ  Ｕｐｄａｔｅ  Ｕｎｉｔとして記録する。
【００７９】
図５において、ＴＤＭＳ  Ｕｐｄａｔｅ  Ｕｎｉｔ３１１は、記録管理情報だけ更新した場合を表し、ＴＤＭＳ  Ｕｐｄａｔｅ  Ｕｎｉｔ３１２は、欠陥管理情報と記録管理情報とを更新した場合を表し、ＴＤＭＳ  Ｕｐｄａｔｅ  Ｕｎｉｔ３１３は、最新のＴＤＭＳ  Ｕｐｄａｔｅ  Ｕｎｉｔで、欠陥管理情報だけを更新した場合を表す。最新のＴＤＤＳ（Ｔｅｍｐｏｒａｒｙ  Ｄｉｓｃ  Ｄｅｆｉｎｉｔｉｏｎ  Ｓｔｒｕｃｔｕｒｅ）４０７には、最新の欠陥リストを示すポインタと、最新の記録管理情報を示すポインタとが格納されている。最新のＴＤＤＳ４０７を再生することにより、格納されているポインタ群を用いて、最新の欠陥リストと記録管理情報とが参照できる。
【００８０】
図６は、本発明の実施の形態１におけるＴＤＦＬ（Ｔｅｍｐｏｒａｒｙ  Ｄｅｆｅｃｔ  Ｌｉｓｔ：一時欠陥リスト）５０１のデータ構造を示す図である。ＴＤＦＬ５０１は、欠陥リストを識別するための情報と欠陥リストの構成情報とを含むＤＦＬ  Ｈｅａｄｅｒ５１１と、欠陥情報を含むＤＦＬ  Ｅｎｔｒｙ５１２，５１３と、ＤＦＬ  Ｅｎｔｒｙの終了を示すＤＦＬ  Ｔｅｒｍｉｎａｔｏｒ５１４とで構成される。ＤＦＬ  Ｅｎｔｒｙは、欠陥の物理アドレス５２２と、交替先の物理アドレス５２４と、物理アドレス５２２，５２４の状態を表す状態情報５２１，５２３とを含む。状態情報５２１は、交替先記録があるか否か、もしくは交替元が未記録領域であるかを示し、状態情報５２３は、欠陥クラスタの連続性を示す。
【００８１】
図７は、本発明の実施の形態１におけるＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）６０１のデータ構造を示す図である。ＳＲＲＩ６０１は、ＳＲＲＩの識別情報と記録可能なＯｐｅｎＳＲＲ数とＯｐｅｎＳＲＲの番号を示すリストとを含むＳＲＲＩ  Ｈｅａｄｅｒ６１１と、記録領域についての記録管理情報を含むＳＲＲ  Ｅｎｔｒｙ６１２，６１３と、ＳＲＲ  Ｅｎｔｒｙの終了を示すＳＲＲＩ  Ｔｅｒｍｉｎａｔｏｒ６１４とで構成される。
【００８２】
各ＳＲＲ  Ｅｎｔｒｙ６１２，６１３は、ＳＲＲの開始物理アドレス６２１と、ＳＲＲ内の最終記録アドレス（ＬＲＡ）６２２とを含む。ＳＲＲの番号は、ＳＲＲの開始物理アドレスを基準に、１から昇順に割り当てられ、ＳＲＲ  ＥｎｔｒｙもＳＲＲの番号を基準に昇順に配置される。
【００８３】
以上述べてきた４層のＢＤ−Ｒ２００に、情報記録再生装置１００を用いて情報を記録する方法について、図８〜図１２を参照して説明する。
【００８４】
まず、本発明の実施の形態１における制限値Ｎの決定方法について説明する。図８は、本発明の実施の形態１における制限値Ｎの決定方法を示すフローチャートである。情報記録再生装置１００に、４層のＢＤ−Ｒ２００が装着されると、上位装置１０９は、インターフェース制御回路１０８を介して、起動コマンドを情報記録再生装置１００に発行する。
【００８５】
ステップＳ１において、ＣＰＵ１０６は、ピックアップ１０３を制御し、４層のＢＤ−Ｒ２００にレーザ光を照射する。次に、ステップＳ２において、ＣＰＵ１０６は、サーボ回路１０４を制御し、スピンドルモータ１０２を回転させる。次に、ステップＳ３において、サーボ回路１０４は、データが再生できるように、トラッキングとフォーカスとを制御する。
【００８６】
次に、ステップＳ４において、ＣＰＵ１０６は、コントロールデータ領域にアクセスさせるように、サーボ回路１０４を制御する。次に、ステップＳ５において、ＣＰＵ１０６は、記録再生回路１０５を制御して、コントロールデータを再生し、コントロールデータを取得する。
【００８７】
次に、ステップＳ６において、ＣＰＵ１０６は、コントロールデータから、装着された光ディスクの記録層の数を取得する。そして、ＣＰＵ１０６は、取得した記録層の数に基づいて、記録済である領域を有する記録層の数の制限値Ｎを決定する。
【００８８】
ここで、本実施の形態１では、２層までは記録品質が保証できる範囲とする。すなわち、装着された光ディスクの記録層の数が２層以下の場合はＮ＝０となり、装着された光ディスクの記録層の数が３層以上の場合はＮ＝１となる。従って、本実施の形態１では、４層のＢＤ−Ｒ２００を装着するため、Ｎ＝１となる。
【００８９】
続いて、本発明の実施の形態１における記録方法について説明する。図９及び図１０は、本発明の実施の形態１における記録方法を示すフローチャートである。
【００９０】
上位装置１０９は、データを記録する領域の論理アドレスとサイズとを指定し、インターフェース制御回路１０８を介して、記録コマンドを情報記録再生装置１００に発行する。
【００９１】
まず、ステップＳ１０において、ＣＰＵ１０６は、上位装置１０９によって発行された記録コマンド（記録要求）を受信する。次に、ステップＳ１１において、ＣＰＵ１０６は、ピックアップ１０３を各記録層のインナーゾーンにあるＤＭＡ又はＴＤＭＡにアクセスさせるように、サーボ回路１０４を制御する。次に、ＣＰＵ１０６は、記録再生回路１０５を制御して、ＤＭＡ又はＴＤＭＡからデータを再生し、最新の欠陥管理情報と記録管理情報とを光ディスク１０１から取得する。
【００９２】
次に、ステップＳ１２において、ＣＰＵ１０６は、ピックアップ１０３を第１の記録層Ｌ０のインナーゾーン２０１にある各記録層の終端物理アドレスが格納されている領域にアクセスさせるように、サーボ回路１０４を制御する。次に、ＣＰＵ１０６は、記録再生回路１０５を制御して、各記録層の終端物理アドレスを取得する。
【００９３】
次に、ステップＳ１３において、ＣＰＵ１０６は、上位装置１０９から指定された、データを記録する領域の論理アドレスを物理アドレスへ変換する。
【００９４】
次に、ステップＳ１４において、ＣＰＵ１０６は、ステップＳ１１で取得した最新の欠陥管理情報と、変換した物理アドレスとを比較し、変換した物理アドレスが欠陥登録されているか否かを判定する。変換した物理アドレスが欠陥登録されていないと判定された場合（ステップＳ１４でＮＯ）、ステップＳ１５の処理に進む。一方、変換した物理アドレスが登録されていると判定された場合（ステップＳ１４でＹＥＳ）、ステップＳ１６の処理に進む。
【００９５】
変換した物理アドレスが欠陥登録されていないと判定された場合、ステップＳ１５において、ＣＰＵ１０６は、記録要求された領域を記録要求領域として決定し、後続の処理を実行する。
【００９６】
変換した物理アドレスが欠陥登録されていると判定された場合、ステップＳ１６において、ＣＰＵ１０６は、欠陥管理方法に基づき、交替領域を求める。欠陥管理方法については、規格にて規定されるため、ここでの説明は省略する。
【００９７】
次に、ステップＳ１７において、ＣＰＵ１０６は、ステップＳ１６で求めた交替領域がユーザデータ領域であるか否かを判定する。交替領域がユーザデータ領域であると判定された場合（ステップＳ１７でＹＥＳ）、ステップＳ１８の処理に進む。一方、交替領域がユーザデータ領域でないと判定された場合（ステップＳ１７でＮＯ）、ステップＳ２７の処理に進む。
【００９８】
交替領域がユーザデータ領域であると判定された場合、ステップＳ１８において、ＣＰＵ１０６は、交替領域を記録要求領域として決定し、後続の処理を実行する。
【００９９】
次に、ステップＳ１９において、ＣＰＵ１０６は、未記録の領域を有する記録層の中で光ディスクの光入射面から最も奥の記録層ＬＸを求める。なお、未記録の領域を有する記録層の中で光ディスクの光入射面から最も奥の記録層ＬＸを求めるための詳細な方法については、後述する。
【０１００】
次に、ステップＳ２０において、ＣＰＵ１０６は、記録要求領域がある記録層ＬＹを求める。具体的には、ＣＰＵ１０６は、記録要求領域の先頭物理アドレスが各記録層の終端物理アドレスより小さいか否かを判定する。ＣＰＵ１０６は、記録要求領域の先頭物理アドレスが終端物理アドレスより小さいと判定された記録層を記録要求領域がある記録層ＬＹであると判断する。これにより、記録要求領域がある記録層ＬＹの層番号Ｙが求まる。
【０１０１】
次に、ステップＳ２１において、ＣＰＵ１０６は、記録要求領域がある記録層ＬＹの層番号Ｙと、未記録の領域を有する記録層の中で光ディスクの光入射面から最も奥の記録層ＬＸの層番号Ｘとの差が、記録済である領域を有する記録層の数の制限値Ｎ以下であるか否かを判定する。層番号Ｙと層番号Ｘとの差が制限値Ｎ以下であると判定された場合、すなわち、記録要求領域が記録可能範囲内にあると判定された場合（ステップＳ２１でＹＥＳ）、ステップＳ２２の処理に進む。一方、層番号Ｙと層番号Ｘとの差が制限値Ｎ以下でないと判定された場合、すなわち、記録要求領域が記録可能範囲外にあると判定された場合（ステップＳ２１でＮＯ）、ステップＳ２４の処理に進む。
【０１０２】
ステップＳ２１で記録要求領域が記録可能範囲内であると判定された場合、すなわち、データを記録要求領域に記録可能であると判定された場合、ステップＳ２２において、ＣＰＵ１０６は、ピックアップ１０３を記録要求領域にアクセスさせるように、サーボ回路１０４を制御する。次に、ＣＰＵ１０６は、記録再生回路１０５を制御して、記録要求領域にデータを記録し、ステップＳ２３の処理に進む。
【０１０３】
次に、ステップＳ２３において、ＣＰＵ１０６は、記録したＳＲＲのＬＲＡを、記録要求領域の最終アドレスに更新し、記録再生回路１０５を制御して、更新したＳＲＲＩとＴＤＤＳとをＴＤＭＡ３０３に記録する。
【０１０４】
ステップＳ２１で記録要求領域が記録可能範囲外であると判定された場合、すなわち、データを記録要求領域に記録できないと判定された場合、ステップＳ２４において、ＣＰＵ１０６は、記録可能範囲内の未記録の領域にデータを記録する。具体的には、ＣＰＵ１０６は、ピックアップ１０３を、未記録の領域を有する記録層の中で光ディスクの光入射面から最も奥の記録層ＬＸの未記録の領域であるＯｐｅｎＳＲＲの内で、最小のＳＲＲ番号ｉ（ＳＲＲ＃ｉ）の未記録の領域にアクセスさせるように、サーボ回路１０４を制御する。次に、ＣＰＵ１０６は、記録再生回路１０５を制御して、未記録の領域を有する記録層の中で光ディスクの光入射面から最も奥の記録層ＬＸにおける、ＳＲＲ＃ｉの未記録の領域にデータを記録し、ステップＳ２５の処理に進む。
【０１０５】
次に、ステップＳ２５において、ＣＰＵ１０６は、ＤＦＬ  Ｅｎｔｒｙの欠陥物理アドレス５２２に、記録要求領域の先頭物理アドレスを設定し、交替先の物理アドレス５２４に、ＳＲＲ＃ｉに記録した領域の先頭物理アドレスを設定し、状態情報５２１に、交替元が未記録であることを示す値“１１１１”を設定する。
【０１０６】
ここで、記録要求領域が１クラスタの場合、ＣＰＵ１０６は、１クラスタの欠陥を示す値“００００”を状態情報５２３に設定したＤＦＬ  Ｅｎｔｒｙを作成する。記録要求領域が連続領域の場合、ＣＰＵ１０６は、連続欠陥クラスタの開始を示す値“０００１”を状態情報５２３に設定したＤＦＬ  Ｅｎｔｒｙを作成する。同様にして、ＣＰＵ１０６は、記録要求領域の最終物理アドレスを示すＤＦＬ  Ｅｎｔｒｙを作成する。ＣＰＵ１０６は、作成したＤＦＬ  Ｅｎｔｒｙを最新のＴＤＦＬに追加し、ステップＳ２６の処理に進む。
【０１０７】
次に、ステップＳ２６において、ＣＰＵ１０６は、記録したＳＲＲ＃ｉのＬＲＡを、記録した領域の最終アドレスに更新し、記録再生回路１０５を制御して、更新したＴＤＦＬとＳＲＲＩとＴＤＤＳとをＴＤＭＡ３０３に記録する。
【０１０８】
また、ステップＳ１７で交替領域がユーザデータ領域でないと判定された場合、すなわち、交替領域がスペア領域であると判定された場合、ステップＳ２７において、ＣＰＵ１０６は、ピックアップ１０３を交替領域にアクセスさせるように、サーボ回路１０４を制御する。次に、ＣＰＵ１０６は、記録再生回路１０５を制御して、交替領域にデータを記録し、ステップＳ２８の処理に進む。
【０１０９】
次に、ステップＳ２８において、ＣＰＵ１０６は、既知の欠陥管理方法に基づき、ＤＦＬ  Ｅｎｔｒｙを作成し、最新のＴＤＦＬに追加する。次に、ＣＰＵ１０６は、記録再生回路１０５を制御して、更新したＴＤＦＬとＴＤＤＳとをＴＤＭＡ３０３に記録する。
【０１１０】
以上のように、本実施の形態１の記録方法によれば、未記録の領域を有する記録層の中で光ディスクの光入射面から最も奥の記録層から、記録品質が保証できる記録層までの記録可能範囲内の領域に、記録要求領域があるか否かを判定し、記録要求領域が記録可能範囲外であれば、記録可能範囲内の領域に交替して記録することで、記録品質を保証したデータの記録を行うことができる。
【０１１１】
また、本実施の形態１の構成によれば、２つ以上の記録層を有する光ディスクに情報を記録するための記録要求が受け付けられる。そして、記録対象である記録層の未記録の領域に光が到達するまでの間に光が通過する他の記録層の内で、情報が記録されている領域を有する記録層の数を制限値Ｎ（Ｎ≧０）以下に制限して、情報が記録される。
【０１１２】
したがって、記録対象である記録層の未記録の領域に光が到達するまでの間に光が通過する他の記録層の内で、情報が記録されている領域を有する記録層の数が制限値Ｎ（Ｎ≧０）以下に制限されるので、記録対象である記録層の未記録の領域に到達する光が他の記録層の光学特性から受ける影響を低減し、多層の光ディスクに対して記録品質を保証することができる。
【０１１３】
また、本実施の形態１において、交替領域は、未記録の領域を有する記録層の中で光ディスクの光入射面から最も奥の記録層にある未記録の領域である。未記録の領域を有する記録層の中で光ディスクの光入射面から最も奥の記録層に情報が交替記録されることで、光が通過してくる、未記録の領域を有する記録層の中で光ディスクの光入射面から最も奥の記録層よりも光入射面側の記録層を未記録のままにすることができる。そのため、光が通過する他の記録層による影響を最小限に抑えることができる。また、光ディスクの光入射面から最も奥の記録層から順に全領域が記録済になるので、記録可能範囲を早く広げることができる。また、光ディスクの光入射面から最も奥の記録層の未記録領域は、ＯｐｅｎＳＲＲのうち、最小のＳＲＲ番号を求めることにより、容易に求めることができる。
【０１１４】
また、本実施の形態１における情報記録再生装置は、記録可能範囲内であれば、どの領域に対してもデータを記録することができる。
【０１１５】
また、記録可能範囲外の領域を欠陥として登録しないので、どの領域に対する記録要求であっても、データが記録される。そのため、記録禁止によるエラーは発生せず、光ディスクの空き容量が増加することがないので、上位装置の処理に影響を与えない。
【０１１６】
また、記録可能範囲内の領域にデータを交替記録することで、論理空間上の記録は変わらないので、上位装置の処理に影響を与えない。
【０１１７】
また、記録可能範囲内の領域にデータを記録することで、記録済の領域と未記録の領域とが混在する記録層を制限できるため、所定のパワーマージンを確保することができる。
【０１１８】
なお、本実施の形態１では、図１０のステップＳ２０で、記録要求領域の先頭物理アドレスと、各記録層の終端物理アドレスとを用いて、記録要求領域がある記録層ＬＹの層番号Ｙを求めているが、記録要求領域がある記録層ＬＹの層番号Ｙが求められればよく、これに限るものではない。例えば、記録要求領域の先頭物理アドレスに含まれる層番号から層番号Ｙを求めてもよい。これにより、より高速に記録要求領域がある記録層ＬＹの層番号Ｙを求めることができる。
【０１１９】
また、データ領域にスペア領域又はＴＤＭＡなどを確保している場合、各記録層の終端物理アドレスと、確保しているスペア領域又はＴＤＭＡなどのサイズとを用いて、各記録層のユーザデータが記録できる最終物理アドレスを求め、記録要求領域の先頭物理アドレスと、各記録層のユーザデータが記録できる最終物理アドレスとを比較し、記録要求領域がある記録層ＬＹの層番号Ｙを求めてもよい。これにより、より正確に記録要求領域がある記録層ＬＹの層番号Ｙを求めることができる。
【０１２０】
なお、本実施の形態１では、図１０のステップＳ２０及びステップＳ２１で記録要求領域がある記録層の層番号Ｙを求め、Ｙ−Ｘ≦Ｎであるか否かを判定することで、記録要求領域が記録可能範囲内にあるか否かを判定しているが、本発明は、記録要求領域が記録可能範囲内にあるか否かが判定できればよく、これに限るものではない。例えば、記録要求領域の先頭物理アドレスが、未記録の領域を有する記録層の中で光ディスクの光入射面から最も奥の記録層の層番号Ｘに制限値Ｎを加算した層番号に対応する記録層Ｌ（Ｘ＋Ｎ）の終端物理アドレスより小さいか否かを判定してもよい。
【０１２１】
なお、本実施の形態１では、図１０のステップＳ２４でＯｐｅｎＳＲＲの内で最小のＳＲＲ番号ｉ（ＳＲＲ＃ｉ）の未記録の領域にデータを交替記録するとしているが、交替先の領域は、記録可能範囲内の領域であればよく、これに限るものではない。例えば、記録する全領域が連続記録できる領域にデータを記録してもよい。これにより、連続アクセスが可能となり、再生時のパフォーマンスがよくなる。
【０１２２】
また、最も大きな未記録の領域があるＳＲＲにデータを記録してもよい。これにより、同一のＳＲＲにデータを記録できる可能性が高いため、ＳＲＲの管理が容易になり、連続アクセスも可能となる。また、交替記録後の未記録の領域が、最小になるＳＲＲにデータを記録してもよい。これにより、連続した未記録領域を残すことが可能となる。
【０１２３】
また、記録要求領域の同一半径位置に近い領域にデータを記録してもよい。これにより、シークする時間を短縮できる。また、最も小さな未記録領域があるＳＲＲに記録してもよい。これにより、ＯｐｅｎＳＲＲの個数を減らすことができるので、ＳＲＲの管理が容易になる。
【０１２４】
次に、図１１を参照して、図９のステップＳ１９の未記録の領域を有する記録層の中で光ディスクの光入射面から最も奥の記録層ＬＸを求める処理について説明する。図１１は、本発明の実施の形態１における、未記録の領域を有する記録層の中で光ディスクの光入射面から最も奥の記録層を求める処理を示すフローチャートである。
【０１２５】
まず、ステップＳ３１において、ＣＰＵ１０６は、最新の記録管理情報のＯｐｅｎＳＲＲの番号を示すリストから、最小のＳＲＲ番号ｉを取得する。
【０１２６】
次に、ステップＳ３２において、ＣＰＵ１０６は、最新の記録管理情報から、ステップＳ３１で取得したＳＲＲ番号ｉのＳＲＲ＃ｉの最終記録アドレスＹａを取得する。
【０１２７】
次に、ステップＳ３３において、ＣＰＵ１０６は、層番号Ｘを初期値０に設定し、後続の処理を実行する。
【０１２８】
次に、ステップＳ３４において、ＣＰＵ１０６は、ＳＲＲ＃ｉの最終記録アドレスＹａが、層番号Ｘに対応する記録層の終端物理アドレスより小さいか否かを判定する。ここで、最終記録アドレスＹａが層番号Ｘの記録層の終端物理アドレスより小さいと判定された場合（ステップＳ３４でＹＥＳ）、ステップＳ３５において、ＣＰＵ１０６は、現在の層番号Ｘに対応する記録層を、未記録の領域を有する記録層の中で光ディスクの光入射面から最も奥の記録層ＬＸとして決定する。
【０１２９】
一方、最終記録アドレスＹａが層番号Ｘの記録層の終端物理アドレスより小さくない、すなわち、最終記録アドレスＹａが記録層ＬＸの終端物理アドレス以上であると判定された場合（ステップＳ３４でＮＯ）、ステップＳ３６において、ＣＰＵ１０６は、層番号Ｘをインクリメントし、ステップＳ３４の処理を実行する。
【０１３０】
以上のように、ＳＲＲの番号は、光ディスクの光入射面よりも奥側の記録層の領域から昇順に割り当てられているため、ＯｐｅｎＳＲＲの内で最小のＳＲＲの番号を取得することで、光ディスクの光入射面から最も奥の記録層にある未記録の領域が求められる。また、各記録層の終端物理アドレスと最終記録アドレスとを比較することにより、未記録の領域が存在する記録層が求められる。このように、記録管理情報を用いることにより、実際に光を照射して未記録の領域を求めるより、高速に、未記録の領域を有する記録層の中で光ディスクの光入射面から最も奥の記録層を求めることができる。
【０１３１】
なお、本実施の形態１では、図１１のステップＳ３３で層番号Ｘの初期値を０として設定しているが、本発明は特にこれに限定されない。未記録の領域を有する記録層の中で光ディスクの光入射面から最も奥の記録層ＬＸを求めた際に、当該記録層ＬＸに対応する層番号Ｘを保持しておき、次に記録層ＬＸを求める場合には、保持した層番号Ｘを初期値として設定してもよい。また、最終記録アドレスＹａに含まれる層番号を初期値として設定してもよい。これにより、未記録の領域を有する記録層の中で光ディスクの光入射面から最も奥の記録層をより高速に求めることができる。
【０１３２】
次に、図１２〜図１４を参照し、本実施の形態１の記録方法で記録した４層のＢＤ−Ｒ２００の記録状態を説明する。図１２〜図１４は、本発明の実施の形態１における記録方法で記録したときの４層のＢＤ−Ｒの記録状態の一例を示す図である。
【０１３３】
図１２において、新品の４層のＢＤ−Ｒの場合、未記録の領域を有する記録層の中で光ディスクの光入射面から最も奥の記録層は、第１の記録層Ｌ０である。記録済である領域を有する記録層の数の制限値Ｎは１であるため、記録可能範囲内の領域は、第１の記録層Ｌ０及び第２の記録層Ｌ１の領域となる。したがって、上位装置１０９から、第１の記録層Ｌ０の領域９０１や第２の記録層Ｌ１の領域９０２に記録要求された場合、第１の記録層Ｌ０及び第２の記録層Ｌ１の領域は記録可能範囲内であるので、データは、記録要求領域である領域９０１，９０２に記録される。
【０１３４】
次に、領域９０１と領域９０２とが記録済の４層のＢＤ−Ｒの場合、第１の記録層Ｌ０に未記録の領域があるので、新品の場合と同様に、記録可能範囲内の領域は、第１の記録層Ｌ０及び第２の記録層Ｌ１の領域となる。したがって、上位装置１０９から、第１の記録層Ｌ０の領域９０３に記録要求された場合、第１の記録層Ｌ０の領域は記録可能範囲内であるので、データは、記録要求領域である領域９０３に記録される。
【０１３５】
領域９０３にデータが記録されるとき、光ビーム９１１は、第２の記録層Ｌ１の領域９１２、第３の記録層Ｌ２の領域９１３及び第４の記録層Ｌ３の領域９１４を通過して、領域９０３に集光する。本実施の形態１の記録方法によると、領域９０３にデータが記録されるので、記録済の領域である記録層は、領域９１２を含む第２の記録層Ｌ１の１層のみに制限できる。そのため、領域９０３へ記録品質を保証した記録を行うことができる。
【０１３６】
次に、図１３に示すように、第１の記録層Ｌ０の全領域が記録済みであり、第２の記録層Ｌ１及び第３の記録層Ｌ２のそれぞれ一部の領域が記録済みである記録状態の４層のＢＤ−Ｒについて説明する。
【０１３７】
この場合、未記録の領域を有する記録層の中で光ディスクの光入射面から最も奥の記録層は、第２の記録層Ｌ１であるので、記録可能範囲内の領域は、第２の記録層Ｌ１及び第３の記録層Ｌ２の領域となる。上位装置１０９から、第４の記録層Ｌ３の領域１００１に記録要求された場合、領域１００１は記録可能範囲外であるので、データは、第２の記録層Ｌ１の未記録の領域１００２に交替記録される。
【０１３８】
領域１００２にデータが記録されるとき、光ビーム１０１１は、第３の記録層Ｌ２の領域１０１２と第４の記録層Ｌ３の領域１０１３とを通過して、領域１００２に集光する。従来どおりに、領域１００１にデータを記録してしまうと、領域１０１２と領域１０１３とが記録済となり、記録済である領域を有する記録層の数が２となり制限値Ｎを越えてしまう。本実施の形態１の記録方法によれば、領域１００２にデータが交替記録されるので、領域１００１は未記録領域のままであり、領域１００２にデータを記録するときに通過する記録済の領域である記録層は、領域１０１２を含む第３の記録層Ｌ２の１層のみに制限できる。そのため、領域１００２へ記録品質を保証した記録を行うことができる。
【０１３９】
また、未記録の領域を有する記録層の中で光ディスクの光入射面から最も奥の記録層から記録可能範囲を求めるため、新品の光ディスクでは記録可能範囲外であった第３の記録層Ｌ２が記録可能範囲内となる。そのため、第３の記録層Ｌ２に対する記録に対して、交替記録する必要がなくなり、処理が容易になる。
【０１４０】
さらに、図１４に示すように、第１の記録層Ｌ０及び第２の記録層Ｌ１のそれぞれ一部の領域が記録済みである記録状態の４層のＢＤ−Ｒについて説明する。この場合、未記録の領域を有する記録層の中で光ディスクの光入射面から最も奥の記録層は、第１の記録層Ｌ０であるので、記録可能範囲内の領域は、第１の記録層Ｌ０及び第２の記録層Ｌ１の領域となる。
【０１４１】
ＢＤ−Ｒの場合、既に記録済の領域への記録（Ｌｏｇｉｃａｌ  ＯｖｅｒＷｒｉｔｅ）も行うため、情報記録再生装置は、記録済の領域に対する記録要求を受け付ける。上位装置１０９から、記録済の領域１１０１に記録要求された場合、ＣＰＵ１０６は、交替領域１１０２を求める。本実施の形態１の記録方法によると、第４の記録層Ｌ３の交替領域１１０２は、記録可能範囲外の領域であるので、データは、記録可能範囲内の第１の記録層Ｌ０の領域１１０３と第２の記録層Ｌ１の領域１１０４とに交替記録される。
【０１４２】
第１の記録層Ｌ０の領域１１０３にデータが記録されるときに、光ビーム１１１１は、第２の記録層Ｌ１の領域１１１２と第３の記録層Ｌ２の領域１１１３と第４の記録層Ｌ３の領域１１１４とを通過して、領域１１０３に集光する。従来どおりに、領域１１０２にデータが記録されると、領域１１１２と領域１１１４とが記録済となり、記録済である領域を有する記録層の数が２となり制限値Ｎを越えてしまう。
【０１４３】
本実施の形態１の記録方法によれば、領域１１０３と領域１１０４とにデータが交替記録されるので、領域１１０２は未記録のままである。したがって、領域１１０３にデータが記録されるときに通過する記録済の領域である記録層は、領域１１１２を含む第２の記録層Ｌ１の１層のみに制限できる。そのため、領域１１０３へ記録品質を保証した記録を行うことができる。このように、交替記録による交替先の領域に対する記録に関しても、記録可能範囲内にデータが交替記録されるので、光ディスクの全記録層の全領域の記録品質を保証することができる。
【０１４４】
なお、本実施の形態では、インナーゾーンとアウターゾーンとで各々ＤＭＡは１つ、またＴＤＭＡもインナーゾーンに１つとしているが、欠陥管理情報と記録管理情報とが格納される領域があればよく、これに限るものではない。例えば、ＤＭＡ及びＴＤＭＡは、各ゾーンや各記録層に複数個あってもよい。また、ＤＭＡ及びＴＤＭＡは、いずれか一方だけ存在していてもよい。また、ＤＭＡ及びＴＤＭＡは、いずれかの記録層に少なくとも１つあればよい。
【０１４５】
また、各記録層の終端物理アドレスが、第１の記録層Ｌ０のインナーゾーンに格納されているとしたが、これに限るものではない。例えば、各記録層の終端物理アドレスは、各記録層のインナーゾーン又はアウターゾーンに格納されていてもよい。また、各記録層の終端物理アドレスは、第１の記録層Ｌ０のアウターゾーンに格納されていてもよい。また、各記録層の終端物理アドレスは、コントロールデータに含まれていてもよい。
【０１４６】
本実施の形態１では、コントロールデータに含まれる記録層の数に基づいて、制限値Ｎを決定するとしたが、これに限るものではない。例えば、制限値Ｎは、光ディスクのバージョン又は光ディスクの容量に関する情報に基づいて決定してもよい。また、制限値Ｎがコントロールデータとして予め記録されている場合は、その値に基づいて決定してもよい。
【０１４７】
すなわち、コントロールデータは、情報が記録されている領域を有する記録層の記録品質が保証される記録層の数を表す記録可能制限値を含んでもよく、制限値決定部１２は、記録可能制限値に基づいて制限値Ｎを決定してもよい。また、制限値決定部１２は、光ディスク１０１が有する記録層の数に基づいて制限値Ｎを決定してもよい。
【０１４８】
また、本実施の形態１では、制限値Ｎは記録層の数のみで決定されるが、これに限るものではない。制限値決定部１２は、光ディスク１０１の種類を表すバージョン情報に基づいて制限値Ｎを決定してもよい。例えば、制限値決定部１２は、記録層の数とバージョン情報との組み合わせ、又はバージョン情報とディスクタイプとの組み合わせなど、複数の情報を組み合わせて制限値Ｎを決定してもよい。
【０１４９】
本実施の形態１では、２層までは記録品質の保証できる範囲内であるとしているが、これに限るものではない。例えば、記録品質の保証できる記録層の数は、記録媒体や記録膜の特性に応じて、任意に決定されてもよい。また、記録品質の保証できる記録層の数は、レーザ及びサーボなどの情報記録再生装置の特性、又はストリーミング記録及びＰＣデータ記録などの記録するデータの種類に応じて、任意に決定されてもよい。また、記録品質の保証できる記録層の数は、記録品質の保証できる範囲内で固定ではなく、可変であってもよい。
【０１５０】
また、本実施の形態１では、データは連続記録モードで記録されるが、交替によるオーバーライトができれば、これに限るものではない。すなわち、データはランダム記録モードでも記録可能である。
【０１５１】
また、本実施の形態１では、光ディスクは４層のＢＤ−Ｒとしているが、これに限るものではない。例えば、２層以上であれば何層でもよい。また、書き換え型光ディスクであってもよい。
【０１５２】
なお、図９のステップＳ１０で記録コマンドを受信してから、最新の欠陥管理情報と記録管理情報とを取得するとしているが、最新の欠陥管理情報と記録管理情報とを取得するタイミングはこれに限るものではない。例えば、欠陥管理情報と記録管理情報とは、情報記録再生装置の起動時に取得され、最新の情報に更新されている欠陥管理情報と記録管理情報とを使用してもよい。また、欠陥管理情報と記録管理情報とは、必要に応じて、別々に取得してもよい。
【０１５３】
なお、本実施の形態１では、図９のステップＳ１７で交替領域がユーザデータ領域でないと判定された場合、図１０のステップＳ２７において、交替領域にデータを記録するとしており、制限値Ｎを満たすか否かを判定する領域をユーザデータ領域としているが、これに限るものではない。例えば、ステップＳ２７において、交替領域にデータを記録するときに、スペア領域に対して制限値Ｎを満たすか否かを判定し、制限値Ｎを満たす領域に交替領域を変更してもよい。また、インナーゾーン２０１〜２０４及びアウターゾーン２２１〜２２４にデータを記録するときに、インナーゾーン及びアウターゾーンに対して適用してもよい。これにより、光ディスク１０１の全領域に対して、記録品質を保証した情報の記録を行うことができる。
【０１５４】
（実施の形態２）
本発明の実施の形態２では、４層のＢＤ−Ｒ２００にデータを記録する別の記録方法について、図１５〜図２０を参照して説明する。ここで、実施の形態２における４層のＢＤ−Ｒ２００は、実施の形態１と同様に、２層までは記録品質の保証ができる範囲内とする。したがって、記録済である領域を持つ記録層の数の制限値Ｎは１となる。
【０１５５】
図１５は、本発明の実施の形態２における情報記録再生装置１００’の機能構成を示すブロック図である。情報記録再生装置１００’は、記録要求受付部１１、制限値決定部１２及び記録部１３’を備える。なお、実施の形態２において、情報記録再生装置１００’が情報記録装置の一例に相当する。また、図１５に示す情報記録再生装置１００’において、実施の形態１における情報記録再生装置１００と同じ構成については同じ符号を付し、説明を省略する。
【０１５６】
記録部１３’は、管理情報取得部１３１、アドレス変換部１３２、層数検出部１３５、層数判断部１３６及び交替記録部１３７を備える。なお、図１のスピンドルモータ１０２、ピックアップ１０３、サーボ回路１０４、記録再生回路１０５、ＣＰＵ１０６、バッファメモリ１０７及びインターフェース制御回路１０８が記録部１３’として機能する。
【０１５７】
層数検出部１３５は、未記録の領域を有する記録層の中で光ディスクの光入射面から最も奥の記録層から、光入射面側にある各記録層のうち、記録要求された記録要求領域と同一半径位置にあり、かつ情報が記録されている領域を含む記録層の数を検出する。層数判断部１３６は、層数検出部１３５によって検出された記録層の数が制限値Ｎ以上であるか否かを判断する。
【０１５８】
交替記録部１３７は、検出された記録層の数が所定値Ｎ以上であると判断された場合、未記録の領域を有する記録層の中で光ディスクの光入射面から最も奥の記録層と、未記録の領域を有する記録層の中で光入射面から最も奥の記録層から制限値Ｎだけ光入射面側にある記録層との間に存在する未記録の領域を交替領域として決定し、記録要求領域に記録すべき情報を交替領域に記録する。
【０１５９】
図１６及び図１７は、本発明の実施の形態２における記録方法を示すフローチャートである。なお、図１６及び図１７において、ステップＳ４０，Ｓ４１〜Ｓ４８，Ｓ５２〜Ｓ５８の処理は、図９及び図１０に示すステップＳ１０，Ｓ１１，Ｓ１３〜Ｓ１９，Ｓ２２〜Ｓ２８の処理と同じであり、ここでの詳細な説明は省略する。図１８は、本発明の実施の形態２において、同一半径位置の領域へのデータの記録を説明するための図である。
【０１６０】
上位装置１０９は、データを記録する領域の論理アドレスとサイズとを指定し、インターフェース制御回路１０８を介して、記録コマンドを情報記録再生装置１００に発行する。
【０１６１】
まず、ステップＳ４０において、ＣＰＵ１０６は、上位装置１０９によって発行された記録コマンド（記録要求）を受信する。次に、ステップＳ４１において、ＣＰＵ１０６は、最新の欠陥管理情報と記録管理情報とを光ディスクから取得する。次に、ステップＳ４２において、ＣＰＵ１０６は、上位装置１０９から指定された、データを記録する領域の論理アドレスを物理アドレスへ変換する。
【０１６２】
次に、ステップＳ４３において、ＣＰＵ１０６は、変換した物理アドレスが欠陥登録されているか否かを判定する。変換した物理アドレスが登録されていないと判定された場合（ステップＳ４３でＮＯ）、ステップＳ４４の処理に進む。一方、変換した物理アドレスが登録されていると判定された場合（ステップＳ４３でＹＥＳ）、ステップＳ４５の処理に進む。
【０１６３】
変換した物理アドレスが欠陥登録されていないと判定された場合、ステップＳ４４において、ＣＰＵ１０６は、記録要求された領域を記録要求領域として決定し、後続の処理を実行する。変換した物理アドレスが欠陥登録されていると判定された場合、ステップＳ４５において、ＣＰＵ１０６は、欠陥管理方法に基づき、交替領域を求める。
【０１６４】
次に、ステップＳ４６において、ＣＰＵ１０６は、交替領域がユーザデータ領域であるか否かを判定する。交替領域がユーザデータ領域であると判定された場合（ステップＳ４６でＹＥＳ）、ステップＳ４７の処理に進む。一方、交替領域がユーザデータ領域でないと判定された場合（ステップＳ４６でＮＯ）、ステップＳ５７の処理に進む。
【０１６５】
交替領域がユーザデータ領域であると判定された場合、ステップＳ４７において、ＣＰＵ１０６は、交替領域を記録要求領域として決定し、後続の処理を実行する。次に、ステップＳ４８において、ＣＰＵ１０６は、未記録の領域を有する記録層の中で光ディスクの光入射面から最も奥の記録層ＬＸを求める。なお、以降、図１８の領域１３０１を記録要求領域として説明する。
【０１６６】
次に、ステップＳ４９において、ＣＰＵ１０６は、記録要求領域１３０１と同一半径位置にある各記録層の領域１３０２，１３０３，１３０４を求める。
【０１６７】
次に、ステップＳ５０において、ＣＰＵ１０６は、記録要求領域と同一半径位置にある各記録層の領域１３０２，１３０３，１３０４に記録済の領域があるか否かを判定し、記録済の領域がある記録層の数Ｐを求める。なお、記録済の領域があるか否かの詳細な判定方法については、後述する。
【０１６８】
次に、ステップＳ５１において、ＣＰＵ１０６は、記録要求領域と同一半径位置にある各記録層の領域の内、記録済の領域がある記録層の数Ｐと、未記録の領域を有する記録層の中で光ディスクの光入射面から最も奥の記録層ＬＸの層番号Ｘとの差が、記録済である領域を有する記録層の数の制限値Ｎより小さいか否かを判定する。具体的には、ＣＰＵ１０６は、記録要求領域と同一半径位置にある各記録層の領域の内、記録済の領域がある記録層の数Ｐと、未記録の領域を有する記録層の中で光ディスクの光入射面から最も奥の記録層の層番号Ｘとの差と、記録済である領域を有する記録層の数の制限値Ｎとを比較し、記録層の数Ｐと層番号Ｘとの差が制限値Ｎより小さいか否かを判定する。ここで、記録層の数Ｐと層番号Ｘとの差が制限値Ｎより小さいと判定された場合（ステップＳ５１でＹＥＳ）、ステップＳ５２の処理に進む。一方、記録層の数Ｐと層番号Ｘとの差が制限値Ｎより小さくない、すなわち記録層の数Ｐと層番号Ｘとの差が制限値Ｎ以上であると判定された場合（ステップＳ５１でＮＯ）、ステップＳ５４の処理に進む。
【０１６９】
ステップＳ５１で記録層の数Ｐと層番号Ｘとの差が制限値Ｎより小さいと判定された場合、すなわち、記録要求領域にデータを記録しても記録品質は保証されると判定された場合、ステップＳ５２において、ＣＰＵ１０６は、ピックアップ１０３を、記録要求領域にアクセスさせるように、サーボ回路１０４を制御する。次に、ＣＰＵ１０６は、記録再生回路１０５を制御して、記録要求領域にデータを記録し、ステップＳ５３の処理に進む。
【０１７０】
次に、ステップＳ５３において、ＣＰＵ１０６は、記録したＳＲＲのＬＲＡを、記録要求領域の最終アドレスに更新し、記録再生回路１０５を制御して、更新したＳＲＲＩとＴＤＤＳとをＴＤＭＡ３０３に記録する。
【０１７１】
ステップＳ５１で記録層の数Ｐと層番号Ｘとの差が制限値Ｎより小さくないと判定された場合、すなわち、記録要求領域にデータを記録してしまうと記録品質が保証できなくなると判定された場合、ステップＳ５４において、ＣＰＵ１０６は、ピックアップ１０３を、未記録の領域を有する記録層の中で光ディスクの光入射面から最も奥の記録層ＬＸの未記録の領域であるＯｐｅｎＳＲＲの内で、最小のＳＲＲ番号ｉ（ＳＲＲ＃ｉ）の未記録の領域にアクセスさせるように、サーボ回路１０４を制御する。次に、ＣＰＵ１０６は、記録再生回路１０５を制御して、未記録の領域を有する記録層の中で光ディスクの光入射面から最も奥の記録層ＬＸにおける、ＳＲＲ＃ｉの未記録の領域にデータを記録し、ステップＳ５５の処理に進む。
【０１７２】
次に、ステップＳ５５において、ＣＰＵ１０６は、ＤＦＬ  Ｅｎｔｒｙの欠陥物理アドレス５２２に、記録要求領域の先頭物理アドレスを設定し、交替先の物理アドレス５２４に、ＳＲＲ＃ｉに記録した領域の先頭物理アドレスを設定し、状態情報５２１に、交替元が未記録であることを示す値“１１１１”を設定する。
【０１７３】
ここで、記録要求領域が１クラスタの場合、ＣＰＵ１０６は、１クラスタの欠陥を示す値“００００”を状態情報５２３に設定したＤＦＬ  Ｅｎｔｒｙを作成する。記録要求領域が連続領域の場合、ＣＰＵ１０６は、連続欠陥クラスタの開始を示す値“０００１”を状態情報５２３に設定したＤＦＬ  Ｅｎｔｒｙを作成する。同様にして、ＣＰＵ１０６は、記録要求領域の最終物理アドレスを示すＤＦＬ  Ｅｎｔｒｙを作成する。ＣＰＵ１０６は、作成したＤＦＬ  Ｅｎｔｒｙを最新のＴＤＦＬに追加し、ステップＳ５６の処理に進む。
【０１７４】
次に、ステップＳ５６において、ＣＰＵ１０６は、記録したＳＲＲ＃ｉのＬＲＡを、記録した領域の最終アドレスに更新し、記録再生回路１０５を制御して、更新したＴＤＦＬとＳＲＲＩとＴＤＤＳとをＴＤＭＡ３０３に記録する。
【０１７５】
また、ステップＳ４６で交替領域がユーザデータ領域でないと判定された場合、ステップＳ５７において、ＣＰＵ１０６は、ピックアップ１０３を交替領域にアクセスさせるように、サーボ回路１０４を制御する。次に、ＣＰＵ１０６は、記録再生回路１０５を制御して、交替領域にデータを記録し、ステップＳ５８の処理に進む。
【０１７６】
次に、ステップＳ５８において、ＣＰＵ１０６は、既知の欠陥管理方法に基づき、ＤＦＬ  Ｅｎｔｒｙを作成し、最新のＴＤＦＬに追加する。次に、ＣＰＵ１０６は、記録再生回路１０５を制御して、更新したＴＤＦＬとＴＤＤＳとをＴＤＭＡ３０３に記録する。
【０１７７】
以上のように、本実施の形態２の記録方法によれば、記録要求領域と同一半径位置の各記録層の領域に対し、記録済である領域を有する記録層の数が制限を満たすか否かが判定され、記録済である領域を有する記録層の数が制限を満たさない場合、記録要求領域に記録すべきデータが、未記録の領域を有する記録層の中で光ディスクの光入射面から最も奥の記録層に交替記録されるので、記録品質を保証した記録を行うことができる。
【０１７８】
また、記録要求領域と同一半径位置にある領域を判定することで、図１０のステップＳ２０，Ｓ２１のように記録層全体を判定するより、記録要求領域にデータを記録した場合の影響を厳密に判定することができる。
【０１７９】
また、本実施の形態２における情報記録再生装置は、記録済である領域を有する記録層の数が制限を満たせば、どの記録層に対してもデータを記録することができる。
【０１８０】
また、記録可能範囲外の領域を欠陥として登録しないので、どの領域に対する記録要求であっても、データが記録される。そのため、記録禁止によるエラーは発生せず、光ディスクの空き容量が増加することがないので、上位装置の処理に影響を与えない。
【０１８１】
また、未記録の領域を有する記録層の中で光ディスクの光入射面から最も奥の記録層の未記録の領域にデータを交替記録することで、論理空間上の記録は変わらないので、上位装置の処理に影響を与えない。
【０１８２】
また、光が通過してくる記録要求領域と同一半径位置の各記録層の領域に対して記録済である領域を有する記録層の数を制限することにより、記録済の領域と未記録の領域とが混在する記録層の数を制限できるため、所定のパワーマージンを確保することができる。
【０１８３】
なお、本実施の形態２では、図１７のステップＳ５２でＯｐｅｎＳＲＲの内で最小のＳＲＲ番号ｉ（ＳＲＲ＃ｉ）の未記録の領域にデータを交替記録するとしているが、これに限るものではない。例えば、記録要求領域と同一半径位置の領域に最も近い未記録の領域にデータを記録してもよい。また、未記録の領域を有する記録層の中で光ディスクの光入射面から最も奥の記録層の層番号Ｘに制限値Ｎを加算した層番号に対応する記録層Ｌ（Ｘ＋Ｎ）内の未記録領域にデータを記録してもよい。
【０１８４】
次に、図１９及び図２０を参照して、図１６のステップＳ４９の記録要求領域と同一半径位置にある各記録層の領域に記録済の領域があるか否かを判定する処理について説明する。図１９及び図２０は、本発明の実施の形態２において、記録要求領域と同一半径位置に記録済の領域があるか否かを判定する処理を示すフローチャートである。
【０１８５】
まず、ステップＳ６１において、ＣＰＵ１０６は、判定対象となる記録層ＬＱの層番号Ｑと、記録済の領域を有する記録層の数Ｐとを初期値０に設定する。なお、層番号Ｑは、光ディスクの光入射面から最も離れた記録層から順に０，１，２，３とする。
【０１８６】
次に、ステップＳ６２において、ＣＰＵ１０６は、ＳＲＲ番号Ｚを初期値０に設定し、後続の処理を実行する。
【０１８７】
次に、ステップＳ６３において、ＣＰＵ１０６は、最新の記録管理情報から、ＳＲＲ＃Ｚの開始物理アドレスと最終記録アドレス（ＬＲＡ）とを取得する。
【０１８８】
次に、ステップＳ６４において、ＣＰＵ１０６は、ＳＲＲ＃Ｚの開始物理アドレスが、記録要求領域と同一半径位置の記録層ＬＱの領域の先頭物理アドレス以下であるか否かを判定する。ＳＲＲ＃Ｚの開始物理アドレスが、記録要求領域と同一半径位置の領域の先頭物理アドレス以下であると判定された場合、すなわち、記録要求領域と同一半径位置の領域がＳＲＲ＃Ｚにある場合（ステップＳ６４でＹＥＳ）、ステップＳ６６の処理に進む。一方、ＳＲＲ＃Ｚの開始物理アドレスが、記録要求領域と同一半径位置の領域の先頭物理アドレス以下でないと判定された場合（ステップＳ６４でＮＯ）、ステップＳ６５の処理に進む。
【０１８９】
ＳＲＲ＃Ｚの開始物理アドレスが、記録要求領域と同一半径位置の領域の先頭物理アドレス以下でないと判定された場合、ステップＳ６５において、ＣＰＵ１０６は、ＳＲＲ番号Ｚをインクリメントし、ステップＳ６３の処理に戻る。
【０１９０】
ＳＲＲ＃Ｚの開始物理アドレスが、記録要求領域と同一半径位置の領域の先頭物理アドレス以下であると判定された場合、ＣＰＵ１０６は、ＳＲＲ＃Ｚの最終記録アドレスが、記録要求領域と同一半径位置の記録層ＬＱの領域の先頭物理アドレスより小さいか否かを判定する。ＳＲＲ＃Ｚの最終記録アドレスが、記録要求領域と同一半径位置の記録層ＬＱの領域の先頭物理アドレスより小さいと判定された場合、すなわち、記録要求領域と同一半径位置の領域の開始位置が未記録領域にある場合（ステップＳ６６でＹＥＳ）、ステップＳ６７の処理に進む。
【０１９１】
一方、ＳＲＲ＃Ｚの最終記録アドレスが、記録要求領域と同一半径位置の記録層ＬＱの領域の先頭物理アドレスより小さくないと判定された場合、すなわち、記録要求領域と同一半径位置の領域に記録済の領域がある場合（ステップＳ６６でＮＯ）、ステップＳ７１の処理に進む。
【０１９２】
ＳＲＲ＃Ｚの最終記録アドレスが、記録要求領域と同一半径位置の記録層ＬＱの領域の先頭物理アドレスより小さいと判定された場合、ステップＳ６７において、ＣＰＵ１０６は、最新の記録管理情報から、ＳＲＲ＃Ｚ＋１の開始物理アドレスと最終記録アドレスとを取得する。
【０１９３】
次に、ステップＳ６８において、ＣＰＵ１０６は、ＳＲＲ＃Ｚ＋１の開始物理アドレスが、記録要求領域と同一半径位置の領域の先頭物理アドレスと記録要求領域サイズとの和より小さいか否かを判定する。ＳＲＲ＃Ｚ＋１の開始物理アドレスが、記録要求領域と同一半径位置の領域の先頭物理アドレスと記録要求領域サイズとの和より小さいと判定された場合、すなわち、記録要求領域と同一半径位置の領域がＳＲＲ＃Ｚ＋１にある場合（ステップＳ６８でＹＥＳ）、ステップＳ６９の処理に進む。一方、ＳＲＲ＃Ｚ＋１の開始物理アドレスが、記録要求領域と同一半径位置の領域の先頭物理アドレスと記録要求領域サイズとの和より小さくない場合、すなわち、記録要求領域と同一半径位置の領域がＳＲＲ＃Ｚの未記録領域に収まる場合（ステップＳ６８でＮＯ）、ステップＳ７０の処理に進む。
【０１９４】
次に、ステップＳ６９において、ＣＰＵ１０６は、ＳＲＲ＃Ｚ＋１の最終記録アドレスが０と等しいか否かを判定する。ＳＲＲ＃Ｚ＋１の最終記録アドレスが０と等しいと判定された場合、すなわち、ＳＲＲ＃Ｚ＋１が未記録であり、記録要求領域と同一半径位置の領域が未記録領域に収まる場合（ステップＳ６９でＹＥＳ）、ステップＳ７０の処理に進む。一方、ＳＲＲ＃Ｚ＋１の最終記録アドレスが０と等しくないと判定された場合、すなわち、記録要求領域と同一半径位置の領域に記録済の領域がある場合（ステップＳ６９でＮＯ）、ステップＳ７１の処理に進む。
【０１９５】
ＳＲＲ＃Ｚ＋１の最終記録アドレスが０と等しいと判定された場合、ステップＳ７０において、ＣＰＵ１０６は、記録要求領域と同一半径位置の領域が未記録領域であると判定する。
【０１９６】
また、ＳＲＲ＃Ｚ＋１の最終記録アドレスが０と等しくないと判定された場合、又はステップＳ６６でＳＲＲ＃Ｚの最終記録アドレスが、記録要求領域と同一半径位置の記録層ＬＱの領域の先頭物理アドレスより小さくないと判定された場合、ステップＳ７１において、ＣＰＵ１０６は、記録要求領域と同一半径位置の領域に記録済の領域があると判定する。次に、ステップＳ７２において、ＣＰＵ１０６は、記録済の領域を有する記録層の数Ｐをインクリメントする。
【０１９７】
次に、ステップＳ７３において、ＣＰＵ１０６は、判定対象となる記録層ＬＱの層番号Ｑをインクリメントする。次に、ステップＳ７４において、ＣＰＵ１０６は、判定対象となる記録層ＬＱの層番号Ｑが、光ディスクが有する全記録層の数（本実施の形態２では４）より大きいか否かを判定する。ここで、層番号Ｑが、光ディスクが有する全記録層の数より大きいと判定された場合（ステップＳ７４でＹＥＳ）、光ディスクが有する全記録層について、記録済の領域があるか否かの判定が行われたので、処理を終了する。一方、層番号Ｑが、光ディスクが有する全記録層の数以下であると判定された場合（ステップＳ７４でＮＯ）、ステップＳ６２の処理に戻り、他の記録層について記録済の領域があるか否かの判定が行われる。
【０１９８】
本実施の形態２では、ステップＳ６２〜Ｓ７２の処理が、記録要求領域と同一半径位置の各記録層の領域に実施されることにより、記録要求領域と同一半径位置にある各記録層の領域の内、記録済の領域がある記録層の数Ｐが求まる。
【０１９９】
なお、図１９のステップＳ６２において、ＳＲＲ番号Ｚに設定される初期値を０としているが、最新の記録管理情報のＯｐｅｎＳＲＲの番号を示すリストから、最小のＳＲＲの番号ｉを取得し、当該番号ｉをＳＲＲ番号Ｚの初期値としてもよい。この場合、記録層の数Ｐの初期値は、未記録の領域を有する記録層の中で光ディスクの光入射面から最も奥の記録層ＬＸに対応する層番号Ｘ＋１となる。また、ある記録層の記録済状態を求めた際に、ＳＲＲ番号Ｚを保持しておき、次に記録層の数Ｐを求める場合には、保持したＳＲＲ番号Ｚを初期値として設定してもよい。
【０２００】
なお、図１９のステップＳ６１において、判定対象となる記録層ＬＱの層番号Ｑの初期値を０とし、ステップＳ７３において、層番号Ｑをインクリメントし、ステップＳ７４において、層番号Ｑが、光ディスクが有する全記録層の数より大きいか否かを判定しているが、本発明は特にこれに限定されない。記録要求領域は未記録であるので、記録要求領域が存在する記録層の判定はスキップしてもよい。これにより、より高速に記録層の数Ｐを求めることができる。
【０２０１】
本実施の形態２の記録要求領域と同一半径位置にある各記録層の領域に記録済の領域があるか否かを判定する方法では、記録管理情報に基づいて判定を行っているが、記録要求領域と同一半径位置にある各記録層の領域に記録済の領域があるか否かが判定できればよいのであって、これに限るものではない。例えば、各記録層の領域にレーザ光を照射することによって生成される再生信号に基づいて判定してもよい。例えば、ＲＦ信号の振幅の大きさに基づいて判定してもよい。また、データが正しく再生できるか否かに基づいて判定してもよい。また、アドレスが正しく取得できるか否かに基づいて判定してもよい。また、信号指標であるジッタ値やＭＬＳＥ（最尤系列推定：Ｍａｘｉｍｕｍ  Ｌｉｋｅｌｉｈｏｏｄ  Ｓｅｑｕｅｎｃｅ  Ｅｓｔｉｍａｔｉｏｎ）値を測定し、これらの値を指標として判定してもよい。
【０２０２】
図２１は、本発明の実施の形態２における記録層の張り合わせ誤差を説明するための図である。
【０２０３】
本実施の形態２では、記録要求領域と同一半径位置の領域を求めるとしているが、光ディスクの製造過程で、各記録層の張り合わせ誤差が生じる可能性がある。記録要求領域と同一半径位置の領域１３０２，１３０３，１３０４は、張り合わせ誤差が生じた場合、図２１に示すように、互いにずれて配置される可能性がある。そのため、記録要求領域と同一半径位置の領域に張り合わせ誤差の範囲を付加した未記録確認領域１５０１，１５０２，１５０３に対して記録済の領域があるか否かを求めてもよい。
【０２０４】
すなわち、層数検出部１３５は、未記録の領域を有する記録層の中で光ディスクの光入射面から最も奥の記録層から、光入射面側にある各記録層のうち、記録要求領域と同一半径位置にあり、かつ記録層の張り合わせ誤差の範囲内にあり、かつ情報が記録されている領域を含む記録層の数を検出してもよい。これにより、記録要求領域と同一半径位置の領域に対して、より正確に記録済の領域があるか否かを判定することができる。
【０２０５】
続いて、本発明の実施の形態２において、記録要求領域と同一半径位置に記録済の領域があるか否かを判定する別の判定方法について説明する。図２２（Ａ）及び図２２（Ｂ）は、本発明の実施の形態２において、記録要求領域と同一半径位置に記録済の領域があるか否かを判定する別の判定方法について説明するための図である。
【０２０６】
図２２（Ａ）において、第３の記録層Ｌ２の領域１６０１が記録要求領域である。図２２（Ａ）に示すように、領域１６０１にデータを記録する場合、光ビーム１６００を領域１６０１に集光させる。領域１６０１の記録開始位置１６１１から記録終了位置１６１２まで光ビーム１６００を移動させることにより、領域１６０１にデータが記録される。その際、光ビーム１６００が、記録開始位置１６１１から記録終了位置１６１２に移動する間に、光ビーム１６００は、第４の記録層Ｌ３の領域１６０２を通過する。したがって、第３の記録層Ｌ２の領域１６０１に集光される光ビーム１６００は、第４の記録層Ｌ３の領域１６０２の光学特性の影響を受けることになる。
【０２０７】
また、図２２（Ｂ）に示すように、第３の記録層Ｌ２の領域１６０１を通過して第２の記録層Ｌ１に集光する光ビーム１６２１は、第２の記録層Ｌ１の領域１６０３に集光する。また、第３の記録層Ｌ２の領域１６０１を通過して第１の記録層Ｌ０に集光する光ビーム１６２２は、第１の記録層Ｌ０の領域１６０４に集光する。そのため、第２の記録層Ｌ１の領域１６０３と第１の記録層Ｌ０領域１６０４とにデータを記録する場合、領域１６０１の光学特性が光ビーム１６２１，１６２２に影響を与えることになる。
【０２０８】
したがって、本実施の形態２における情報記録再生装置は、第３の記録層Ｌ２の記録要求領域１６０１が光学特性の影響を受ける第４の記録層Ｌ３の領域１６０２と、記録要求領域１６０１が光学特性の影響を与える第２の記録層Ｌ１の領域１６０３及び第１の記録層Ｌ０の領域１６０４とに対して、記録済の領域があるか否かを判定してもよい。
【０２０９】
すなわち、層数検出部１３５は、未記録の領域を有する記録層の中で光ディスクの光入射面から最も奥の記録層から、光入射面側にある各記録層のうち、記録要求領域に集光する光が通過し、かつ情報が記録されている領域を含む記録層と、記録要求領域を通過した光が集光し、かつ情報が記録されている領域を含む記録層との数を検出してもよい。これにより、記録要求領域と同一半径位置の領域に対して、より正確に記録済の領域があるか否かを判定することができる。
【０２１０】
（実施の形態３）
実施の形態３では、実施の形態１で示した記録方法で４層のＢＤ−Ｒ２００に記録されたデータを再生する再生方法について、図２３及び図２４を参照して説明する。
【０２１１】
図２３は、本発明の実施の形態３における情報記録再生装置１００”の機能構成を示すブロック図である。情報記録再生装置１００”は、再生要求受付部１４及び再生部１５を備える。なお、実施の形態３において、情報記録再生装置１００”が情報再生装置の一例に相当する。
【０２１２】
再生要求受付部１４は、光ディスク１０１から情報を再生するための再生要求を受け付ける。なお、図１のＣＰＵ１０６及びインターフェース制御回路１０８が再生要求受付部１４として機能する。
【０２１３】
光ディスク１０１は、記録対象である記録層の未記録の領域に光が到達するまでの間に光が通過する他の記録層の内で、情報が記録されている領域を有する記録層の数が所定値Ｎ（Ｎ≧０）以下に制限されている。
【０２１４】
再生部１５は、交替情報取得部１５１、アドレス変換部１５２、交替登録判定部１５３、未記録判定部１５４及び交替再生部１５５を備える。なお、図１のスピンドルモータ１０２、ピックアップ１０３、サーボ回路１０４、記録再生回路１０５、ＣＰＵ１０６、バッファメモリ１０７及びインターフェース制御回路１０８が再生部１５として機能する。
【０２１５】
交替情報取得部１５１は、光ディスク１０１から、記録要求された記録要求領域を表す交替元情報と、記録要求領域の交替領域を表す交替先情報とを含む交替情報を取得する。アドレス変換部１５２は、上位装置１０９から指定された、データを再生する領域の論理アドレスを物理アドレスへ変換する。
【０２１６】
交替登録判定部１５３は、再生する領域が交替元情報に登録されているか否かを判定する。未記録判定部１５４は、交替登録判定部１５３によって、再生する領域が交替元情報に登録されていると判定された場合、交替元の領域が未記録の領域であるか否かを判定する。交替再生部１５５は、未記録判定部１５４によって、交替元の領域が未記録の領域であると判定された場合、交替先情報に登録されている交替領域を再生する。
【０２１７】
図２４は、本発明の実施の形態３における再生方法を示すフローチャートである。
【０２１８】
上位装置１０９は、データを再生する領域の論理アドレスとサイズとを指定し、インターフェース制御回路１０８を介して、再生コマンドを情報記録再生装置１００に発行する。
【０２１９】
まず、ステップＳ８０において、ＣＰＵ１０６は、上位装置１０９によって発行された再生コマンド（再生要求）を受信する。次に、ステップＳ８１において、ＣＰＵ１０６は、ピックアップ１０３を各記録層のインナーゾーンにあるＤＭＡ又はＴＤＭＡにアクセスさせるように、サーボ回路１０４を制御する。次に、ＣＰＵ１０６は、記録再生回路１０５を制御して、ＤＭＡ又はＴＤＭＡからデータを再生し、最新の欠陥管理情報を光ディスクから取得する。
【０２２０】
次に、ステップＳ８２において、ＣＰＵ１０６は、上位装置１０９から指定された、データを再生する領域の論理アドレスを物理アドレスへ変換する。
【０２２１】
次に、ステップＳ８３において、ＣＰＵ１０６は、ステップＳ８１で取得した最新の欠陥管理情報と、変換した物理アドレスとを比較し、変換した物理アドレスが欠陥登録されているか否かを判定する。変換した物理アドレスが欠陥登録されていると判定された場合（ステップＳ８３でＹＥＳ）、ステップＳ８４の処理に進む。一方、変換した物理アドレスが欠陥登録されていないと判定された場合（ステップＳ８３でＮＯ）、ステップＳ８６の処理に進む。
【０２２２】
変換した物理アドレスが欠陥登録されていると判定された場合、ステップＳ８４において、ＣＰＵ１０６は、変換した物理アドレスに対応する欠陥リストの状態情報（図６のＳｔａｔｕｓ１）の値が“００００”又は“１１１１”であるか否かを判定する。状態情報の値が“００００”又は“１１１１”であると判定された場合（ステップＳ８４でＹＥＳ）、ステップＳ８５の処理に進む。一方、状態情報の値が“００００”又は“１１１１”ではないと判定された場合（ステップＳ８４でＮＯ）、ステップＳ８６の処理に進む。
【０２２３】
状態情報の値が“００００”又は“１１１１”であると判定された場合、ステップＳ８５において、ＣＰＵ１０６は、変換した物理アドレスの交替先のアドレスを再生アドレスに決定する。
【０２２４】
状態情報の値が“００００”又は“１１１１”ではないと判定された場合、又はステップＳ８３で変換した物理アドレスが欠陥登録されていないと判定された場合、ステップＳ８６において、ＣＰＵ１０６は、変換した物理アドレスを再生アドレスに決定する。
【０２２５】
次に、ステップＳ８７において、ＣＰＵ１０６は、記録再生回路１０５を制御して、ステップＳ８５又はステップＳ８６で決定された再生アドレスからデータを再生する。
【０２２６】
以上のように、本実施の形態３の再生方法によれば、記録可能範囲内の領域に交替記録された領域に対して再生要求された場合であっても、欠陥リストの状態情報を判定することで、正しくデータを再生することができる。
【０２２７】
本実施の形態３の構成によれば、光ディスク１０１は、記録対象である記録層の未記録の領域に光が到達するまでの間に光が通過する他の記録層の内で、情報が記録されている領域を有する記録層の数が所定値Ｎ（Ｎ≧０）以下に制限されている。そして、光ディスク１０１から情報を再生するための再生要求が受け付けられる。続いて、光ディスク１０１から、記録要求された記録要求領域を表す交替元情報と、記録要求領域の交替領域を表す交替先情報とを含む交替情報が取得され、再生する領域が交替元情報に登録されているか否かが判定される。再生する領域が交替元情報に登録されていると判定された場合、交替元の領域が未記録の領域であるか否かが判定される。交替元の領域が未記録の領域であると判定された場合、交替先情報に登録されている交替領域が再生される。
【０２２８】
したがって、記録要求領域から交替領域に交替記録された場合であっても、正確に情報を再生することができる。
【０２２９】
また、欠陥管理情報に基づいて再生する物理アドレスを求めることで、論理空間上の再生は変わらないので、上位装置の処理に影響を与えない。
【産業上の利用可能性】
【０２３０】
本発明にかかる記録方法、情報記録装置、情報記録媒体、再生方法及び情報再生装置は、多層の情報記録媒体に対して記録品質を保証することができ、光ディスクドライブ装置などの用途に適用できる。
【符号の説明】
【０２３１】
１１    記録要求受付部
１２    制限値決定部
１３    記録部
１４    再生要求受付部
１５    再生部
１００，１００’，１００”    情報記録再生装置
１０１    光ディスク
１０２    スピンドルモータ
１０３    ピックアップ
１０４    サーボ回路
１０５    記録再生回路
１０６    ＣＰＵ
１０７    バッファメモリ
１０８    インターフェース制御回路
１０９    上位装置
１３１    情報取得部
１３２    アドレス変換部
１３３    記録層判断部
１３４    交替記録部
１３５    層数検出部
１３６    層数判断部
１３７    交替記録部
１５１    交替情報取得部
１５２    アドレス変換部
１５３    交替登録判定部
１５４    未記録判定部
１５５    交替再生部
【図１】
2010097685.tif 000003
【図２】
2010097685.tif 000004
【図３】
2010097685.tif 000005
【図４】
2010097685.tif 000006
【図５】
2010097685.tif 000007
【図６】
2010097685.tif 000008
【図７】
2010097685.tif 000009
【図８】
2010097685.tif 000010
【図９】
2010097685.tif 000011
【図１０】
2010097685.tif 000012
【図１１】
2010097685.tif 000013
【図１２】
2010097685.tif 000014
【図１３】
2010097685.tif 000015
【図１４】
2010097685.tif 000016
【図１５】
2010097685.tif 000017
【図１６】
2010097685.tif 000018
【図１７】
2010097685.tif 000019
【図１８】
2010097685.tif 000020
【図１９】
2010097685.tif 000021
【図２０】
2010097685.tif 000022
【図２１】
2010097685.tif 000023
【図２２】
2010097685.tif 000024
【図２３】
2010097685.tif 000025
【図２４】
2010097685.tif 000026
【図２５】
2010097685.tif 000027